(57)【特許請求の範囲】
【請求項１】
基板が接続可能な接続装置であって、
電子部品のリード端子が接続可能なコンタクトと、
第１ボディと、
この第1ボディがリード端子の長さ方向にスライド自在に設けられた第２ボディとを備えており、
前記コンタクトは、
前記リード端子が電気的且つ機械的に接続可能な第１の接続部と、
この第１の接続部が設けられた弾性変形可能な部位であり且つ当該第１の接続部をリード端子の長さ方向に変位可能に保持する保持部と、
前記基板に電気的に接続可能な第２の接続部とを有しており、
前記第１ボディは、前記電子部品のリード端子が挿脱可能な挿脱口を有し且つ前記コンタクトの第１の接続部が取り付けられており、
前記第２ボディは、前記コンタクトの第２の接続部を収容する収容部と、
この収容部に連通しており且つ前記基板が挿脱可能な開口部と、を有していることを特徴とする接続装置。
【請求項２】
コンタクトと、
電子部品のリード端子が挿脱可能な挿脱口が設けられており且つ前記コンタクトの第１の接続部が取り付けられる第１のボディと、
この第１のボディが前記リード端子の長さ方向にスライド自在に設けられた第２のボディと、を備えており、
前記コンタクトは、
前記リード端子が電気的且つ機械的に接続可能な前記第１の接続部と、
この第１の接続部が設けられた弾性変形可能な部位であり且つ当該第１の接続部をリード端子の長さ方向に変位可能に保持する保持部と、を有しており、
前記第１の接続部は、前記リード端子を挟持可能な第１、第２のクランプアームを有し、
前記第１、第２のクランプアームは、
互いに離れる方向に屈曲又は湾曲する第１、第２の屈曲部又は湾曲部と、
この第１、第２の屈曲部又は湾曲部の先端部に連続しており且つ当該第１、第２の屈曲部又は湾曲部と反対方向に屈曲又は湾曲する第１、第２の把持部と、を有しており、
前記第１のボディは、前記第１、第２のクランプアームの第１、第２の屈曲部又は湾曲部を互いに近づく方向に各々押圧可能な押圧部材を更に有しており、
前記第１、第２の屈曲部又は湾曲部が前記押圧部材に互いに近づく方向に各々押圧されると、前記第１、第２の把持部が互いに近づく方向に移動して交差し、その間に前記リード端子を挿入するための空間を形成し、
前記第１、第２の屈曲部又は湾曲部が前記押圧部材の押圧から解放されると、前記第１、第２の把持部が互いに近づく方向に移動して前記空間が閉じ、前記第１、第２の把持部の間で前記リード端子を挟持するようになっていることを特徴とする接続装置。
【請求項３】
コンタクトと、
電子部品のリード端子が挿脱可能な挿脱口が設けられており且つ前記コンタクトの第１の接続部が取り付けられる第１のボディと、
この第１のボディが前記リード端子の長さ方向にスライド自在に設けられた第２のボディと、を備えており、
前記コンタクトは、
前記リード端子が電気的且つ機械的に接続可能な前記第１の接続部と、
この第１の接続部が設けられた弾性変形可能な部位であり且つ当該第１の接続部をリード端子の長さ方向に変位可能に保持する保持部と、を有しており、
前記第１の接続部は、リード端子を挟持可能な第１、第２のクランプアームを有し、
前記第１のクランプアームは固定片であり、
前記第２のクランプアームは、弾性変形可能な可動片であって、
前記第１のクランプアームから離れる方向に屈曲又は湾曲する屈曲部又は湾曲部と、
この屈曲部又は湾曲部の先端部に連続しており且つ当該屈曲部又は湾曲部と反対方向に屈曲又は湾曲する把持部と、を有しており、
前記第１のボディは、前記第２のクランプアームの屈曲部又は湾曲部を前記第１のクランプアームに向けて押圧可能な押圧部材を更に有しており、
前記第２のクランプアームの屈曲部又は湾曲部が前記押圧部材に前記第１のクランプアームに向けて押圧されると、前記第２のクランプアームの把持部が前記第１のクランプアームに近づく方向に移動して当該第１のクランプアームに交差し、その間に前記リード端子を挿入するための空間を形成し、
前記第２のクランプアームの屈曲部又は湾曲部が前記押圧部材の押圧から解放されると、前記第２のクランプアームの把持部が前記第１のクランプアームに近づく方向に移動して前記空間が閉じ、前記第２のクランプアームの把持部と前記第1のクランプアームとの間で前記リード端子を挟持するようになっていることを特徴とする接続装置。
【請求項４】
コンタクトと、
電子部品のリード端子が挿脱可能な挿脱口が設けられており且つ前記コンタクトの第１の接続部が取り付けられる第１のボディと、
この第１のボディが前記リード端子の長さ方向にスライド自在に設けられた第２のボディと、を備えており、
前記コンタクトは、
前記リード端子が電気的且つ機械的に接続可能な前記第１の接続部と、
この第１の接続部が設けられた弾性変形可能な部位であり且つ当該第１の接続部をリード端子の長さ方向に変位可能に保持する保持部と、を有しており、
前記第１の接続部は、リード端子を挟持可能な第１、第２のクランプアームを有し、
前記第１、第２のクランプアームは、
前記第１、第２の把持部と、
この第１、第２の把持部の先端部に連続しており且つ互いに離れる方向に屈曲又は湾曲する第１、第２の屈曲部又は湾曲部と、を有しており、
前記第１のボディは、前記第１、第２のクランプアームの第１、第２の屈曲部又は湾曲部を互いに近づく方向に各々押圧可能な前記押圧部材を更に有しており、
前記第１、第２の屈曲部又は湾曲部が前記押圧部材に互いに近づく方向に各々押圧されると、前記第１、第２の把持部が互いに近づく方向に移動し、当該第１、第２の把持部の間で前記リード端子を挟持し、
前記第１、第２の屈曲部又は湾曲部が前記押圧部材の押圧から解放されると、前記第１、第２の把持部が互いに離れる方向に移動し、当該第１、第２の把持部の間の挟持から前記リード端子が解放されるようになっていることを特徴とする接続装置。
【請求項５】
コンタクトと、
電子部品のリード端子が挿脱可能な挿脱口が設けられており且つ前記コンタクトの第１の接続部が取り付けられる第１のボディと、
この第１のボディが前記リード端子の長さ方向にスライド自在に設けられた第２のボディと、を備えており、
前記コンタクトは、
前記リード端子が電気的且つ機械的に接続可能な前記第１の接続部と、
この第１の接続部が設けられた弾性変形可能な部位であり且つ当該第１の接続部をリード端子の長さ方向に変位可能に保持する保持部と、を有しており、
前記第１の接続部は、リード端子を挟持可能な第１、第２のクランプアームを有し、
前記第１のクランプアームは固定片であり、
前記第２のクランプアームは、弾性変形可能な可動片であって、
前記第１のクランプアームと略平行に配置される把持部と、
この把持部の先端部に連続しており且つ前記第１のクランプアームから離れる方向に屈曲又は湾曲する屈曲部又は湾曲部と、を有しており、
前記第１のボディは、前記第２のクランプアームの屈曲部又は湾曲部を前記第１のクランプアームに向けて押圧可能な前記押圧部材を更に有しており、
前記第２のクランプアームの屈曲部又は湾曲部が前記押圧部材に前記第１のクランプアームに向けて押圧されると、前記第２のクランプアームの把持部が前記第１のクランプアームに近づく方向に移動し、当該把持部と前記第１のクランプアームとの間で前記リード端子を挟持し、
前記第２のクランプアームの屈曲部又は湾曲部が前記押圧部材の押圧から解放されると、前記第２のクランプアームの把持部が前記第１のクランプアームから離れる移動し、前記把持部と前記第１のクランプアームとの間の挟持から前記リード端子が解放されるようになっていることを特徴とする接続装置。
【請求項６】
請求項２記載の接続装置において、
前記第１のボディは、
前記コンタクトの第１の接続部及び保持部を挿脱するための開放部が設けられており且つその内部に前記第１の接続部が取り付けられるボディ本体と、
前記挿脱口が設けられており且つ前記ボディ本体の開放部を覆う閉位置から前記開放部の一部を開放する開位置にかけて前記ボディ本体に移動自在に設けられるカバーと、を更に有しており、
前記カバーの挿脱口の両内縁部には２つの前記押圧部材が設けられており、
前記カバーが開位置に位置するとき、２つの前記押圧部材が前記第１、第２のクランプアームの第１、第２の屈曲部又は湾曲部を互いに近づく方向に押圧し、
前記カバーが閉位置に位置するとき、２つの前記押圧部材が前記第１、第２のクランプアームの第１、第２の屈曲部又は湾曲部に対する押圧を解除するようになっていることを特徴とする接続装置。
【請求項７】
請求項３記載の接続装置において、
前記第１のボディは、
前記コンタクトの第１の接続部及び保持部を挿脱するための開放部が設けられており且つその内部に前記第１の接続部が取り付けられるボディ本体と、
前記挿脱口が設けられており且つ前記ボディ本体の開放部を覆う閉位置から前記開放部の一部を開放する開位置にかけて前記ボディ本体に移動自在に設けられるカバーと、を更に有しており、
前記カバーの挿脱口の両内縁部の一方には前記押圧部材が設けられており、
前記カバーが開位置に位置するとき、前記押圧部材が第２のクランプアームの屈曲部又は湾曲部を第１のクランプアームに向けて押圧し、
前記カバーが閉位置に位置するとき、前記押圧部材が第２のクランプアームの屈曲部又は湾曲部に対する押圧を解除するようになっていることを特徴とする接続装置。
【請求項８】
請求項４記載の接続装置において、
前記第１のボディは、
前記コンタクトの第１の接続部及び保持部を挿脱するための開放部が設けられており且つその内部に前記第１の接続部が取り付けられるボディ本体と、
前記挿脱口が設けられており且つ前記ボディ本体の開放部を覆う閉位置から前記開放部の一部を開放する開位置にかけて前記ボディ本体に移動自在に設けられるカバーと、を更に有しており、
前記カバーの挿脱口の両内縁部には２つの前記押圧部材が設けられており、
前記カバーが閉位置に位置するとき、２つの前記押圧部材が前記第１、第２のクランプアームの第１、第２の屈曲部又は湾曲部を互いに近づく方向に向けて押圧し、
前記カバーが開位置に位置するとき、２つの前記押圧部材が前記第１、第２のクランプアームの第１、第２の屈曲部又は湾曲部に対する押圧を解除するようになっていることを特徴とする接続装置。
【請求項９】
請求項５記載の接続装置において、
前記第１のボディは、
前記コンタクトの第１の接続部及び保持部を挿脱するための開放部が設けられており且つその内部に前記第１の接続部が取り付けられるボディ本体と、
前記挿脱口が設けられており且つ前記ボディ本体の開放部を覆う閉位置から前記開放部の一部を開放する開位置にかけて前記ボディ本体に移動自在に設けられるカバーと、を更に有しており、
前記カバーの挿脱口の両内縁部の一方には前記押圧部材が設けられており、
前記カバーが閉位置に位置するとき、前記押圧部材が第２のクランプアームの屈曲部又は湾曲部を第１のクランプアームに向けて押圧し、
前記カバーが開位置に位置するとき、前記押圧部材が第２のクランプアームの屈曲部又は湾曲部に対する押圧を解除するようになっていることを特徴とする接続装置。
【請求項１０】
請求項２、３、４又は５記載の接続装置において、
前記第１のボディのカバー及び第２のボディには、前記カバーを開位置で係止することにより、前記ボディ本体を所定位置でロックするロック手段が設けられていることを特徴とする接続装置。
【請求項１１】
請求項１０記載の接続装置において、
前記第１のボディのボディ本体は、前記第２のボディ上を所定位置からリード端子の長さ方向の両方向に向けてスライド自在になっており、
前記ロック手段は、
前記カバーに設けられており且つ前記第２のボディの側面に沿う係止アームと、
前記第２のボディの側面に設けられており且つ前記カバーが開位置に位置するときに前記係止アームの両端部にリード端子の長さ方向の両側から当接する第１、第２の係止凸部と、を有しており、
前記係止アームの前記スライド方向の両端部には、前記カバーが閉位置に位置するときに前記第１、第２の係止凸部が挿入可能な第１、第２の凹部が設けられていることを特徴とする接続装置。
【請求項１２】
請求項１０記載の接続装置において、
前記第１のボディのボディ本体は、前記第２のボディ上を所定位置からリード端子の長さ方向の一方向に向けてスライド自在になっており、
前記ロック手段は、
前記カバーに設けられており且つ前記第２のボディの側面に沿う係止アームと、
前記第２のボディの側面に設けられており且つ前記カバーが開位置に位置するときに前記係止アームの一端部にリード端子の長さ方向の一方向側から当接する係止凸部と、を有しており、
前記係止アームの前記スライド方向の一端部には、前記カバーが閉位置に位置するときに前記係止凸部が挿入可能な凹部が設けられていることを特徴とする接続装置。
【請求項１３】
請求項１１記載の接続装置において、
前記第１、第２の係止凸部のカバーの閉位置への移動方向側の端部が、前記移動方向に向けて漸次低減するテーパ形状となっていることを特徴とする接続装置。
【請求項１４】
請求項１１記載の接続装置において、
前記第１、第２の凹部のカバーの閉位置への移動方向側の端部が、前記移動方向に向けて漸次増大するテーパ形状となっていることを特徴とする接続装置。
【請求項１５】
請求項１２記載の接続装置において、
前記係止凸部のカバーの閉位置への移動方向側の端部が、前記移動方向に向けて漸次低減するテーパ形状となっていることを特徴とする接続装置。
【請求項１６】
請求項１２記載の接続装置において、
前記凹部のカバーの閉位置への移動方向側の端部が、前記移動方向に向けて漸次増大するテーパ形状となっていることを特徴とする接続装置。
【請求項１７】
請求項２、３、４又は５記載の接続装置において、
２つの前記第１のクランプアームが、前記第２のクランプアームの両側に配設されていることを特徴とする接続装置。
【請求項１８】
請求項２、３、４又は５記載の接続装置において、
２つの前記第２のクランプアームが、前記第１のクランプアームの両側に配設されていることを特徴とする接続装置。
【請求項１９】
請求項１、２、３、４又は５記載の接続装置において、
前記コンタクトの保持部は、
前記第１の接続部が設けられた先端部と、
一端部が前記先端部に連続する略逆Ｕ字状の中間部と、を有していることを特徴とする接続装置。
【請求項２０】
請求項１９記載の接続装置において、
前記中間部はリード端子の長さ方向に略直交する方向に向いていることを特徴とする接続装置。
【請求項２１】
請求項２０記載の接続装置において、
前記保持部は、前記先端部と前記中間部との間に設けられる湾曲部を更に有することを特徴とする接続装置。
【発明の詳細な説明】
【技術分野】
【０００１】
本発明は、電子部品のリード端子が接続可能なコンタクトを備える接続装置に関する。
【背景技術】
【０００２】
この種の接続装置は、電子部品のリード端子を挟持するクランプ部を有するコンタクトを備えているもの（特許文献１及び２参照）や、電子部品のリード端子を挟持する一対のコンタクトを備えているものがある（特許文献３参照）。
【０００３】
【特許文献１】特開２００７−９５６７１号公報
【特許文献２】特開２００７−９５６７２号公報
【特許文献３】特開平１０−２８９６１０号公報
【発明の開示】
【発明が解決しようとする課題】
【０００４】
ところで、前記電子部品うちの冷陰極蛍光ランプ等は、自身又は他の部品の発熱等により高温環境下で前記接続装置に接続されるものがある。このような電子部品は高温環境下に置かれると、当該電子部品が熱膨張変形する場合がある。
【０００５】
電子部品が熱膨張変形すると、そのリード端子が、自身を挟持するコンタクトのクランプ部の間又は一対のコンタクトの間で摺動する。これにより、前記リード端子の前記コンタクトのクランプ部又は一対のコンタクトに挟持される部分が磨耗し、前記リード端子と前記コンタクトのクランプ部又は一対のコンタクトとの接触が不安定になる可能性がある。
【０００６】
また、前記リード端子がコンタクトのクランプ部の間又は一対のコンタクトの間を摺動しない場合であっても、電子部品が熱膨張変形することにより、電子部品本体とリード端子との接合部分（冷陰極蛍光ランプでは封入部分）に負荷がかかる。そのため、電子部品に不具合が生じる可能性がある。
【０００７】
要するに、前記接続装置は、コンタクトの第１の接続部が電子部品のリード端子電気的且つ機械的に接続された状態で、前記電子部品の熱膨張変形に対応することができなかった。
【０００８】
本発明は、上記事情に鑑みて創案されたものであって、その目的とするところは、電子部品のリード端子が第１の接続部に電気的且つ機械的に接続された状態で、当該電子部品の熱膨張変形に対応することができる接続装置を提供することにある。
【課題を解決するための手段】
【０００９】
上記課題を解決するために、本発明の第１接続装置は、基板が接続可能な接続装置であって、電子部品のリード端子が接続可能なコンタクトと、第１ボディと、この第1ボディがリード端子の長さ方向にスライド自在に設けられた第２ボディとを備えており、前記コンタクトは、前記リード端子が電気的且つ機械的に接続可能な第１の接続部と、この第１の接続部が設けられた弾性変形可能な部位であり且つ当該第１の接続部をリード端子の長さ方向に変位可能に保持する保持部と、前記基板に電気的に接続可能な第２の接続部とを有しており、前記第１ボディは、前記電子部品のリード端子が挿脱可能な挿脱口を有し且つ前記コンタクトの第１の接続部が取り付けられており、前記第２ボディは、前記コンタクトの第２の接続部を収容する収容部と、この収容部に連通しており且つ前記基板が挿脱可能な開口部と、を有している。
【００１０】
この第１接続装置による場合、第１の接続部が電子部品のリード端子を電気的且つ機械的に接続された状態で、当該電子部品が熱膨張変形又は熱収縮変形すると、保持部が弾性変形し、第１の接続部がリード端子の長さ方向に変位する。これと共に、第１のボディがコンタクトの第１の接続部の変位に伴って第２のボディ上をリード端子の長さ方向にスライドする。即ち、保持部の弾性変形により、第１の接続部が変位し、電子部品の熱膨張変形又は熱収縮変形が吸収される。このため、リード端子が第１の接続部内を摺動することにより、当該リード端子の接続部分が磨耗するのを防止することができる。よって、リード端子と第１の接続部との安定した接続を図ることができる。また、電子部品が熱膨張変形又は熱収縮変形しても、保持部が弾性変形し、第１の接続部が変位するため、電子部品本体とリード端子との接合部分に負荷が掛かることがない。よって、前記負荷を起因とする電子部品の不具合が生じるのを防止することができる。
また、基板を開口部から挿入し、収容部内のコンタクトの第２の接続部に接触させることにより、簡単に前記基板を前記コンタクトに電気的に接続させることができる。
【００１１】
本発明の第２接続装置は、コンタクトと、電子部品のリード端子が挿脱可能な挿脱口が設けられており且つ前記コンタクトの第１の接続部が取り付けられる第１のボディと、この第１のボディが前記リード端子の長さ方向にスライド自在に設けられた第２のボディと、を備えており、前記コンタクトは、前記リード端子が電気的且つ機械的に接続可能な前記第１の接続部と、この第１の接続部が設けられた弾性変形可能な部位であり且つ当該第１の接続部をリード端子の長さ方向に変位可能に保持する保持部と、を有しており、前記第１の接続部は、前記リード端子を挟持可能な第１、第２のクランプアームを有し、前記第１、第２のクランプアームは、互いに離れる方向に屈曲又は湾曲する第１、第２の屈曲部又は湾曲部と、この第１、第２の屈曲部又は湾曲部の先端部に連続しており且つ当該第１、第２の屈曲部又は湾曲部と反対方向に屈曲又は湾曲する第１、第２の把持部と、を有しており、前記第１のボディは、前記第１、第２のクランプアームの第１、第２の屈曲部又は湾曲部を互いに近づく方向に各々押圧可能な押圧部材を更に有しており、前記第１、第２の屈曲部又は湾曲部が前記押圧部材に互いに近づく方向に各々押圧されると、前記第１、第２の把持部が互いに近づく方向に移動して交差し、その間に前記リード端子を挿入するための空間を形成し、前記第１、第２の屈曲部又は湾曲部が前記押圧部材の押圧から解放されると、前記第１、第２の把持部が互いに近づく方向に移動して前記空間が閉じ、前記第１、第２の把持部の間で前記リード端子を挟持するようになっている。
【００１２】
この第２接続装置による場合、第１の接続部が電子部品のリード端子を電気的且つ機械的に接続された状態で、当該電子部品が熱膨張変形又は熱収縮変形すると、保持部が弾性変形し、第１の接続部がリード端子の長さ方向に変位する。これと共に、第１のボディがコンタクトの第１の接続部の変位に伴って第２のボディ上をリード端子の長さ方向にスライドする。即ち、保持部の弾性変形により、第１の接続部が変位し、電子部品の熱膨張変形又は熱収縮変形が吸収される。このため、リード端子が第１の接続部内を摺動することにより、当該リード端子の接続部分が磨耗するのを防止することができる。よって、リード端子と第１の接続部との安定した接続を図ることができる。また、電子部品が熱膨張変形又は熱収縮変形しても、保持部が弾性変形し、第１の接続部が変位するため、電子部品本体とリード端子との接合部分に負荷が掛かることがない。よって、前記負荷を起因とする電子部品の不具合が生じるのを防止することができる。
また、押圧部材で第１、第２のクランプアームの第１、第２の屈曲部又は湾曲部を互いに近づく方向に向けて押圧するだけで、当該第１、第２のクランプアームの第１、第２の把持部の間にリード端子を挿入するための空間が形成される。前記空間にリード端子が挿入された後、押圧部材の第１、第２の屈曲部又は湾曲部に対する押圧が解除されると、第１、第２の把持部が互いに近づく方向に移動して前記空間が閉じ、第１、第２の把持部の間でリード端子が挟持される。
【００１３】
本発明の第３接続装置は、コンタクトと、電子部品のリード端子が挿脱可能な挿脱口が設けられており且つ前記コンタクトの第１の接続部が取り付けられる第１のボディと、この第１のボディが前記リード端子の長さ方向にスライド自在に設けられた第２のボディと、を備えており、前記コンタクトは、前記リード端子が電気的且つ機械的に接続可能な前記第１の接続部と、この第１の接続部が設けられた弾性変形可能な部位であり且つ当該第１の接続部をリード端子の長さ方向に変位可能に保持する保持部と、を有しており、前記第１の接続部は、リード端子を挟持可能な第１、第２のクランプアームを有し、前記第１のクランプアームは固定片であり、前記第２のクランプアームは、弾性変形可能な可動片であって、前記第１のクランプアームから離れる方向に屈曲又は湾曲する屈曲部又は湾曲部と、この屈曲部又は湾曲部の先端部に連続しており且つ当該屈曲部又は湾曲部と反対方向に屈曲又は湾曲する把持部と、を有しており、前記第１のボディは、前記第２のクランプアームの屈曲部又は湾曲部を前記第１のクランプアームに向けて押圧可能な押圧部材を更に有しており、前記第２のクランプアームの屈曲部又は湾曲部が前記押圧部材に前記第１のクランプアームに向けて押圧されると、前記第２のクランプアームの把持部が前記第１のクランプアームに近づく方向に移動して当該第１のクランプアームに交差し、その間に前記リード端子を挿入するための空間を形成し、前記第２のクランプアームの屈曲部又は湾曲部が前記押圧部材の押圧から解放されると、前記第２のクランプアームの把持部が前記第１のクランプアームに近づく方向に移動して前記空間が閉じ、前記第２のクランプアームの把持部と前記第1のクランプアームとの間で前記リード端子を挟持するようになっている。
【００１４】
この第３接続装置による場合、第１の接続部が電子部品のリード端子を電気的且つ機械的に接続された状態で、当該電子部品が熱膨張変形又は熱収縮変形すると、保持部が弾性変形し、第１の接続部がリード端子の長さ方向に変位する。これと共に、第１のボディがコンタクトの第１の接続部の変位に伴って第２のボディ上をリード端子の長さ方向にスライドする。即ち、保持部の弾性変形により、第１の接続部が変位し、電子部品の熱膨張変形又は熱収縮変形が吸収される。このため、リード端子が第１の接続部内を摺動することにより、当該リード端子の接続部分が磨耗するのを防止することができる。よって、リード端子と第１の接続部との安定した接続を図ることができる。また、電子部品が熱膨張変形又は熱収縮変形しても、保持部が弾性変形し、第１の接続部が変位するため、電子部品本体とリード端子との接合部分に負荷が掛かることがない。よって、前記負荷を起因とする電子部品の不具合が生じるのを防止することができる。
また、押圧部材で第２のクランプアームの屈曲部又は湾曲部を第１のクランプアームに向けて押圧するだけで、第２のクランプアームの把持部と第１のクランプアームとの間にリード端子を挿入するための空間が形成される。前記空間にリード端子が挿入された後、押圧部材の屈曲部又は湾曲部に対する押圧が解除されると、第２のクランプアームの把持部が第１のクランプアームに近づく方向に移動して前記空間が閉じ、第２のクランプアームの把持部と第1のクランプアームとの間でリード端子が挟持される。
【００１５】
本発明の第４接続装置は、コンタクトと、電子部品のリード端子が挿脱可能な挿脱口が設けられており且つ前記コンタクトの第１の接続部が取り付けられる第１のボディと、この第１のボディが前記リード端子の長さ方向にスライド自在に設けられた第２のボディと、を備えており、前記コンタクトは、前記リード端子が電気的且つ機械的に接続可能な前記第１の接続部と、この第１の接続部が設けられた弾性変形可能な部位であり且つ当該第１の接続部をリード端子の長さ方向に変位可能に保持する保持部と、を有しており、前記第１の接続部は、リード端子を挟持可能な第１、第２のクランプアームを有し、前記第１、第２のクランプアームは、前記第１、第２の把持部と、この第１、第２の把持部の先端部に連続しており且つ互いに離れる方向に屈曲又は湾曲する第１、第２の屈曲部又は湾曲部と、を有しており、前記第１のボディは、前記第１、第２のクランプアームの第１、第２の屈曲部又は湾曲部を互いに近づく方向に各々押圧可能な前記押圧部材を更に有しており、前記第１、第２の屈曲部又は湾曲部が前記押圧部材に互いに近づく方向に各々押圧されると、前記第１、第２の把持部が互いに近づく方向に移動し、当該第１、第２の把持部の間で前記リード端子を挟持し、前記第１、第２の屈曲部又は湾曲部が前記押圧部材の押圧から解放されると、前記第１、第２の把持部が互いに離れる方向に移動し、当該第１、第２の把持部の間の挟持から前記リード端子が解放されるようになっている。
【００１６】
この第４接続装置による場合、第１の接続部が電子部品のリード端子を電気的且つ機械的に接続された状態で、当該電子部品が熱膨張変形又は熱収縮変形すると、保持部が弾性変形し、第１の接続部がリード端子の長さ方向に変位する。これと共に、第１のボディがコンタクトの第１の接続部の変位に伴って第２のボディ上をリード端子の長さ方向にスライドする。即ち、保持部の弾性変形により、第１の接続部が変位し、電子部品の熱膨張変形又は熱収縮変形が吸収される。このため、リード端子が第１の接続部内を摺動することにより、当該リード端子の接続部分が磨耗するのを防止することができる。よって、リード端子と第１の接続部との安定した接続を図ることができる。また、電子部品が熱膨張変形又は熱収縮変形しても、保持部が弾性変形し、第１の接続部が変位するため、電子部品本体とリード端子との接合部分に負荷が掛かることがない。よって、前記負荷を起因とする電子部品の不具合が生じるのを防止することができる。
また、第１、第２のクランプアームの第１、第２の把持部の間に、リード端子を挿入した後、押圧部材で第１、第２のクランプアームの第１、第２の屈曲部又は湾曲部を互いに近づく方向に向けて押圧することにより、前記第１、第２の把持部がリード端子を挟持する。また、押圧部材の第１、第２の屈曲部又は湾曲部に対する押圧が解除されると、第１、第２の把持部がリード端子の挟持を解除する。
【００１７】
本発明の第５接続装置は、コンタクトと、電子部品のリード端子が挿脱可能な挿脱口が設けられており且つ前記コンタクトの第１の接続部が取り付けられる第１のボディと、この第１のボディが前記リード端子の長さ方向にスライド自在に設けられた第２のボディと、を備えており、前記コンタクトは、前記リード端子が電気的且つ機械的に接続可能な前記第１の接続部と、この第１の接続部が設けられた弾性変形可能な部位であり且つ当該第１の接続部をリード端子の長さ方向に変位可能に保持する保持部と、を有しており、前記第１の接続部は、リード端子を挟持可能な第１、第２のクランプアームを有し、前記第１のクランプアームは固定片であり、前記第２のクランプアームは、弾性変形可能な可動片であって、前記第１のクランプアームと略平行に配置される把持部と、この把持部の先端部に連続しており且つ前記第１のクランプアームから離れる方向に屈曲又は湾曲する屈曲部又は湾曲部と、を有しており、前記第１のボディは、前記第２のクランプアームの屈曲部又は湾曲部を前記第１のクランプアームに向けて押圧可能な前記押圧部材を更に有しており、前記第２のクランプアームの屈曲部又は湾曲部が前記押圧部材に前記第１のクランプアームに向けて押圧されると、前記第２のクランプアームの把持部が前記第１のクランプアームに近づく方向に移動し、当該把持部と前記第１のクランプアームとの間で前記リード端子を挟持し、前記第２のクランプアームの屈曲部又は湾曲部が前記押圧部材の押圧から解放されると、前記第２のクランプアームの把持部が前記第１のクランプアームから離れる移動し、前記把持部と前記第１のクランプアームとの間の挟持から前記リード端子が解放されるようになっている。
【００１８】
この第５接続装置による場合、第１の接続部が電子部品のリード端子を電気的且つ機械的に接続された状態で、当該電子部品が熱膨張変形又は熱収縮変形すると、保持部が弾性変形し、第１の接続部がリード端子の長さ方向に変位する。これと共に、第１のボディがコンタクトの第１の接続部の変位に伴って第２のボディ上をリード端子の長さ方向にスライドする。即ち、保持部の弾性変形により、第１の接続部が変位し、電子部品の熱膨張変形又は熱収縮変形が吸収される。このため、リード端子が第１の接続部内を摺動することにより、当該リード端子の接続部分が磨耗するのを防止することができる。よって、リード端子と第１の接続部との安定した接続を図ることができる。また、電子部品が熱膨張変形又は熱収縮変形しても、保持部が弾性変形し、第１の接続部が変位するため、電子部品本体とリード端子との接合部分に負荷が掛かることがない。よって、前記負荷を起因とする電子部品の不具合が生じるのを防止することができる。
また、第２のクランプアームの把持部と第１のクランプアームとの間にリード端子を挿入した後、押圧部材で第２のクランプアームの屈曲部又は湾曲部を第１のクランプアームに向けて押圧することにより、第２のクランプアームの把持部と第１のクランプアームとがリード端子を挟持する。また、押圧部材の屈曲部又は湾曲部に対する押圧が解除されると、第２のクランプアームの把持部と第１のクランプアームとがリード端子の挟持を解除する。
【００１９】
前記第２接続装置において、前記第１のボディは、前記コンタクトの第１の接続部及び保持部を挿脱するための開放部が設けられており且つその内部に前記第１の接続部が取り付けられるボディ本体と、前記挿脱口が設けられており且つ前記ボディ本体の開放部を覆う閉位置から前記開放部の一部を開放する開位置にかけて前記ボディ本体に移動自在に設けられるカバーとを更に有する構成とすることが可能である。前記カバーの挿脱口の両内縁部には２つの前記押圧部材が設けられた構成とすることが可能である。前記カバーが開位置に位置するとき、２つの前記押圧部材が前記第１、第２のクランプアームの第１、第２の屈曲部又は湾曲部を互いに近づく方向に押圧し、前記カバーが閉位置に位置するとき、２つの前記押圧部材が前記第１、第２のクランプアームの第１、第２の屈曲部又は湾曲部に対する押圧を解除するようになっている。
【００２０】
この場合、カバーを開位置に位置させると、２つの押圧部材が第１、第２のクランプアームの第１、第２の屈曲部又は湾曲部を押圧する。これにより、第１、第２のクランプアームの第１、第２の把持部の間にリード端子を挿入するための空間が形成される。前記空間にリード端子が挿入された後、カバーを閉位置にさせると、２つの押圧部材が第１、第２のクランプアームの第１、第２の屈曲部又は湾曲部に対する押圧を解除する。これにより、第１、第２の把持部が互いに近づく方向に移動して前記空間が閉じ、第１、第２の把持部の間でリード端子が挟持される。
【００２１】
前記第３接続装置において、前記第１のボディは、前記コンタクトの第１の接続部及び保持部を挿脱するための開放部が設けられており且つその内部に前記第１の接続部が取り付けられるボディ本体と、前記挿脱口が設けられており且つ前記ボディ本体の開放部を覆う閉位置から前記開放部の一部を開放する開位置にかけて前記ボディ本体に移動自在に設けられるカバーと、を更に有する構成とすることが可能である。前記カバーの挿脱口の両内縁部の一方には前記押圧部材が設けられた構成とすることが可能である。前記カバーが開位置に位置するとき、前記押圧部材が第２のクランプアームの屈曲部又は湾曲部を第１のクランプアームに向けて押圧し、前記カバーが閉位置に位置するとき、前記押圧部材が第２のクランプアームの屈曲部又は湾曲部に対する押圧を解除するようになっている。
【００２２】
この場合、カバーを開位置に位置させると、押圧部材が第２のクランプアームの屈曲部又は湾曲部を第１のクランプアームに向けて押圧する。これにより、第２のクランプアームの把持部と第１のクランプアームとの間にリード端子を挿入するための空間が形成される。前記空間にリード端子が挿入された後、カバーを閉位置にさせると、押圧部材が第２のクランプアームの屈曲部又は湾曲部に対する押圧を解除する。これにより、第２のクランプアームの把持部が第１のクランプアームに近づく方向に移動して前記空間が閉じ、第２のクランプアームの把持部と第1のクランプアームとの間でリード端子が挟持される。
【００２３】
前記第４接続装置において、前記第１のボディは、前記コンタクトの第１の接続部及び保持部を挿脱するための開放部が設けられており且つその内部に前記第１の接続部が取り付けられるボディ本体と、前記挿脱口が設けられており且つ前記ボディ本体の開放部を覆う閉位置から前記開放部の一部を開放する開位置にかけて前記ボディ本体に移動自在に設けられるカバーと、を更に有した構成とすることが可能である。前記カバーの挿脱口の両内縁部には２つの前記押圧部材が設けられた構成とすることが可能である。前記カバーが閉位置に位置するとき、２つの前記押圧部材が前記第１、第２のクランプアームの第１、第２の屈曲部又は湾曲部を互いに近づく方向に向けて押圧し、前記カバーが開位置に位置するとき、２つの前記押圧部材が前記第１、第２のクランプアームの第１、第２の屈曲部又は湾曲部に対する押圧を解除するようになっている。
【００２４】
この場合、カバーを閉位置に位置させると、２つの押圧部材が第１、第２のクランプアームの第１、第２の屈曲部又は湾曲部を互いに近づく方向に向けて押圧する。これにより、第１、第２のクランプアームの第１、第２の把持部がリード端子を挟持する。カバーを開位置に位置させると、２つの押圧部材の第１、第２の屈曲部又は湾曲部に対する押圧が解除される。これにより、第１、第２の把持部がリード端子の挟持を解除する。
【００２５】
前記第５接続装置において、前記第１のボディは、前記コンタクトの第１の接続部及び保持部を挿脱するための開放部が設けられており且つその内部に前記第１の接続部が取り付けられるボディ本体と、前記挿脱口が設けられており且つ前記ボディ本体の開放部を覆う閉位置から前記開放部の一部を開放する開位置にかけて前記ボディ本体に移動自在に設けられるカバーと、を更に有した構成とすることが可能である。前記カバーの挿脱口の両内縁部の一方には前記押圧部材が設けられた構成とすることが可能である。前記カバーが閉位置に位置するとき、前記押圧部材が第２のクランプアームの屈曲部又は湾曲部を第１のクランプアームに向けて押圧し、前記カバーが開位置に位置するとき、前記押圧部材が第２のクランプアームの屈曲部又は湾曲部に対する押圧を解除するようになっている。
【００２６】
この場合、カバーを閉位置に位置させると、押圧部材が第２のクランプアームの屈曲部又は湾曲部を第１のクランプアームに向けて押圧する。これにより、第２のクランプアームの把持部と第１のクランプアームとがリード端子を挟持する。一方、カバーを開位置にさせると、押圧部材が第２のクランプアームの屈曲部又は湾曲部に対する押圧を解除する。これにより、第２のクランプアームの把持部と第１のクランプアームとがリード端子の挟持を解除する。
【００３３】
第１のボディのカバー及び第２のボディには、カバーを開位置で係止することにより、ボディ本体を所定位置でロックするロック手段が設けられていることが好ましい。この場合、カバーの挿脱口からリード端子を挿入するに当たり、当該カバー及びボディ本体が第２のボディ上をスライドするのを防止することができる。
【００３４】
第１のボディのボディ本体が、第２のボディ上を所定位置からリード端子の長さ方向の両方向に向けてスライド自在になっている場合、ロック手段は、カバーに設けられており且つ第２のボディの側面に沿う係止アームと、第２のボディの側面に設けられており且つカバーが開位置に位置するときに係止アームの両端部にリード端子の長さ方向の両側から当接する第１、第２の係止凸部とを有しており、係止アームの前記スライド方向の両端部には、カバーが閉位置に位置するときに第１、第２の係止凸部が挿入可能な第１、第２の凹部が設けられていることが好ましい。
【００３５】
即ち、カバーが開位置に位置すると、当該カバーの係止アームの両端部がボディ本体の第１、第２の係止凸部にリード端子の長さ方向の両側から当接される。これにより、カバー及びボディ本体が所定位置に位置固定（即ち、ロック）される。カバーが閉位置に位置すると、係止アームの第１、第２の凹部に、ボディ本体の第１、第２の係止凸部が挿入可能になる。これにより、前記ロックが解除され、カバー及びボディ本体が第２のボディ上で前記長さ方向の両方向に向けてスライド可能になる。
【００３６】
前記第１、第２の係止凸部のカバーの閉位置への移動方向側の端部が、前記移動方向に向けて漸次低減するテーパ形状となっていることが好ましい。この場合、カバー及びボディ本体が所定位置から位置ずれした状態で、カバーを閉位置から開位置にかけて移動させると、前記第１、第２の凹部のカバーの閉位置への移動方向側の端部が前記第１、第２の係止凸部の前記テーパに沿って移動し、カバー及びボディ本体を所定位置に戻す。
【００３７】
或いは、前記第１、第２の凹部の下端部のカバーの閉位置への移動方向側の端部が、前記移動方向に向けて漸次増大するテーパ形状となっていることが好ましい。この場合、カバー及びボディ本体が所定位置から位置ずれした状態で、カバーを閉位置から開位置にかけて移動させると、前記第１、第２の係止凸部のカバーの閉位置への移動方向側の端部が前記第１、第２の凹部の前記テーパに沿って移動し、カバー及びボディ本体を所定位置に戻す。
【００３８】
又は、第１のボディのボディ本体が、第２のボディ上を所定位置からリード端子の長さ方向の一方向に向けてスライド自在になっている場合、ロック手段は、カバーに設けられており且つ第２のボディの側面に沿う係止アームと、第２のボディの側面に設けられており且つカバーが開位置に位置するときに係止アームの一端部にリード端子の長さ方向の一方向側から当接する係止凸部とを有しており、係止アームの前記スライド方向の一端部には、カバーが閉位置に位置するときに係止凸部が挿入可能な凹部が設けられていることが好ましい。
【００３９】
即ち、カバーが開位置に位置すると、当該カバーの係止アームの一端部がボディ本体の係止凸部にリード端子の長さ方向の一方向側から当接される。これにより、カバー及びボディ本体が所定位置に位置固定（即ち、ロック）される。カバーが閉位置に位置すると、係止アームの凹部にボディ本体の係止凸部が挿入可能になる。これにより、前記ロックが解除され、カバー及びボディ本体が第２のボディ上で前記一方向にスライド可能になる。
【００４０】
前記の係止凸部のカバーの閉位置への移動方向側の端部が、前記移動方向に向けて漸次低減するテーパ形状となっていることが好ましい。この場合、カバー及びボディ本体が所定位置から位置ずれした状態で、カバーを閉位置から開位置にかけて移動させると、前記凹部のカバーの閉位置への移動方向側の端部が前記係止凸部の前記テーパに沿って移動し、カバー及びボディ本体を所定位置に戻す。
【００４１】
或いは、前記凹部の下端部のカバーの閉位置への移動方向側の端部が、前記移動方向に向けて漸次増大するテーパ形状となっていることが好ましい。この場合、カバー及びボディ本体が所定位置から位置ずれした状態で、カバーを閉位置から開位置にかけて移動させると、前記係止凸部のカバーの閉位置への移動方向側の端部が前記凹部の前記テーパに沿って移動し、カバー及びボディ本体を所定位置に戻す。
【００４２】
２つの第１のクランプアームが、第２のクランプアームの両側に配設される構成とすることもできるし、２つの第２のクランプアームが、第１のクランプアームの両側に配設される構成とすることもできる。このように３点で電子部品のリード端子を挟持するようにすれば、安定してリード端子を挟持することができる。
また、前記コンタクトの保持部は、第１の接続部が設けられる先端部と、一端部が前記先端部に連続する略逆Ｕ字状の中間部とを有する形状とすることができる。この場合、電子部品が熱膨張変形又は熱収縮変形すると、保持部の中間部が弾性変形し、当該保持部の中間部の一端部がリード端子の長さ方向に向けて移動する。これにより、保持部の先端部及び第１の接続部がリード端子の長さ方向に向けて変位する。
前記中間部はリード端子の長さ方向に略直交する方向に向いていることが好ましい。この場合、電子部品が熱膨張変形又は熱収縮変形すると、保持部の中間部が弾性変形し、当該保持部の中間部の一端部が当該中間部の他端部に対する略平行状態からリード端子の長さ方向に向けて移動する。これにより、保持部の先端部及び第１の接続部がリード端子の長さ方向に向けて変位する。
前記保持部は、先端部と中間部との間に設けられる湾曲部を更に有する形状とすることができる。この場合、電子部品が熱膨張変形又は熱収縮変形すると、中間部が弾性変形し、当該中間部の一端部がリード端子の長さ方向に向けて移動すると共に、湾曲部が前記一端部と共に移動しつつ弾性変形し、先端部がリード端子の長さ方向に向けて移動する。これにより、第１の接続部がリード端子の長さ方向に向けて変位する。
【発明を実施するための最良の形態】
【００４３】
以下、本発明の実施の形態に係る接続装置について説明する。
【実施例１】
【００４４】
まず、本発明の第１の実施の形態に係る接続装置について図面を参照しつつ説明する。図１は本発明の第１の実施の形態に係る接続装置の斜視図であって、(ａ)が冷陰極蛍光ランプ及び基板接続前の状態を示す図、（ｂ）が冷陰極蛍光ランプ及び基板接続後の状態を示す図、図２は同装置の第１のボディのボディ本体の斜視図であって、(ａ)が正面上側から見た図、（ｂ）が正面下側から見た図、（ｃ）が背面上側から見た図、（ｄ）が背面下側から見た図、図３は同装置の第１のボディのカバーの斜視図であって、(ａ)が正面上側から見た図、（ｂ）が正面下側から見た図、（ｃ）が背面上側から見た図、（ｄ）が背面下側から見た図、図４は同装置の第２のボディの斜視図であって、(ａ)が正面上側から見た図、（ｂ）が背面下側から見た図、図５は同装置のコンタクトの斜視図であって、(ａ)が正面側から見た図、（ｂ）が背面側から見た図、図６は同装置の図１のＡ−Ａ断面図であって、（ａ）はカバーが閉位置に位置する状態を示す図、（ｂ）はカバーが開位置に位置する状態を示す図、（ｃ）はカバーが閉位置に位置し且つリード端子が挿入された状態を示す図、図７は同装置の側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが閉位置に位置し且つボディ本体が所定位置から他方向にスライドした状態を示す図、（ｄ）はカバーが開位置に位置し且つボディ本体が所定位置でロックされた状態を示す図である。
である。
【００４５】
ここに掲げる接続装置は、冷陰極蛍光ランプ１０（電子部品）のソケットであって、冷陰極蛍光ランプ１０と基板２０とを電気的に接続させるコンタクト１００と、このコンタクト１００を収容する第１、第２のボディ２００、３００とを備えている。以下、詳しく説明する。
【００４６】
冷陰極蛍光ランプ１０は、図１に示すように、ランプ部１１と、このランプ部１１の両端部から突出する２本のリード端子１２とを有している。なお、図１の冷陰極蛍光ランプ１０は長さ方向の一端部のみを図示している。
【００４７】
基板２０は矩形状の突起である挿入部２１を有している。
【００４８】
第２のボディ３００は、図１、図４及び図６に示すように、略矩形の箱状の樹脂製成形品である。この第２のボディ３００の長さ方向の一端部が開放されている。以下、これを開放部３０１と称する。
【００４９】
第２のボディ３００の上面には、第１のボディ２００のボディ本体２１０のランナ部２１４がスライド自在に嵌まり込むレール部３１０が設けられている。このレール部３１０は、断面視略逆Ｔ字状のレール溝であって、その長さ方向の一端部が開放され開放部３０１に通じている。この開放部分からランナ部２１４がレール部３１０に挿脱されるようになっている。
【００５０】
第２のボディ３００の内部には、コンタクト１００の第２の接続部１３０を収容する収容部３２０が設けられている。この収容部３２０は、幅広の第１の穴部３２１と、この第１の穴部３２１の下端部に設けられ、当該第１の穴部３２１と連通する幅狭の第２の穴部３２２と、この第２の穴部３２２の下端部に設けられ、当該第２の穴部３２２に連通する第３の穴部３２３とを有している。
【００５１】
第３の穴部３２３は、厚み寸法がコンタクト１００の第２の接続部１３０の第２の圧入板１３１の厚みより若干厚く、且つ幅寸法が第２の圧入板１３１の長さ寸法よりも若干小さくなっている。第３の穴部３２３は、その長さ方向の一端部が開口し開放部３０１に通じている。この開口部分からコンタクト１００の第２の接続部１３０の第２の圧入板１３１が第３の穴部３２３に圧入される。
【００５２】
第２の穴部３２２は、その長さ方向の一端部が開口している。この開口部分からコンタクト１００の第２の接続部１３０の２つの接続アーム１３２が挿入されるようになっている。
【００５３】
第１の穴部３２１は、その長さ方向の他端部（即ち、第２のボディ３００の前面側の壁部）が開口している。この開口部分が基板２０の挿入部２１が挿入される開口部３２１ａとなっている。第１の穴部３２１には、第２の穴部３２２からコンタクト１００の２つの接続アーム１３２の先端部が入り込んでいる。
【００５４】
第２のボディ３００の幅方向の両外側面には、一対の第１、第２の係止凸部３３１、３３２が設けられている。各第１の係止凸部３３１は、第２のボディ３００の外側面の長さ方向の一端側の上側の角部に一体的に設けられている。第１の係止凸部３３１の内側の端部は山形になっている。即ち、第１の係止凸部３３１の内側の端部の下端部（カバー２２０の閉位置への移動方向側の端部）が下方向に向けて漸次低減するテーパ形状となっている。
【００５５】
各第２の係止凸部３３２は、第２のボディ３００の外側面の中央部から長さ方向の他端側に若干変位した位置に一体的に設けられている。第２の係止凸部３３２の内側の端部は山形になっている。即ち、第２の係止凸部３３２の内側の端部の下端部（カバー２２０の閉位置への移動方向側の端部）が下方向に向けて漸次低減するテーパ形状となっている。
【００５６】
第１、第２の係止凸部３３１、３３２の間には、第１のボディ２００のカバー２２０の係止アーム２２６が挿入される。この第１、第２の係止凸部３３１、３３２の間の距離は、第１のボディ２００の係止アーム２２６の幅寸法と略同じである。第１、第２の係止凸部３３１、３３２は、図７（ｄ）に示すように、カバー２２０が後述する閉位置に位置するとき、当該カバー２２０の係止アーム２２６の幅方向の両端部の第１、第２の当接部２２６ｂ、２２６ｄに当接するようになっている。
【００５７】
また、第１、第２の係止凸部３３１、３３２は、係止アーム２２６の幅方向の両端部の第１、第２の凹部２２６ａ、２２６ｃに挿入可能な大きさになっている。この第１、第２の係止凸部３３１、３３２は、図７（ｂ）又は（ｃ）に示すように、カバー２２０が後述する開位置に位置するとき、係止アーム２２６の第１、第２の凹部２２６ａ、２２６ｃに挿入可能になっている。
【００５８】
第１のボディ２００は、図１乃至図４及び図６に示すように、ボディ本体２１０と、このボディ本体２１０の後述する開放部２１０ａを覆う閉位置（図１(ｂ）、図６(ａ）及び（ｃ）参照）から開放部２１０ａの一部を開放する開位置（図１(ａ）及び図６(ｂ）参照）にかけて上下動自在にボディ本体２１０に取り付けられるカバー２２０とを有している。
【００５９】
ボディ本体２１０は、上壁が開放された箱状体であるランプ保持部２１１と、このランプ保持部２１１の背面の幅方向の両端部に設けられる一対の側板部２１２と、この側板部２１２の下端部の間に設けられる底板部２１３と、この底板部２１３の下面の中央部に設けられたランナ部２１４と、底板部２１３及びランナ部２１４の中央部に設けられる取付部２１５と、ランプ保持部２１１の一対の縦壁部の外面に設けられる外側に向けて凸の一対のフランジ２１６と、底板部２１３の取付部２１５の一方の縁部上に設けられる突脈部２１７とを有する樹脂成形品である。なお、一対の側板部２１２の間の空間の上側及び後側がボディ本体２１０の開放部２１０ａとなっている。
【００６０】
ランプ保持部２１１は、第１、第２の横壁部と、第１、第２の横壁部の間に当該第２の横壁部と一体的に設けられる第３の横壁部と、第１の横壁部の両端部と、第２、第３の横壁部の両端部とを繋ぐ一対の縦壁部とを有している。
【００６１】
前記第１、第３の横壁部の中央部には、冷陰極蛍光ランプ１０のランプ部１１を保持する略Ｕ字状の凹部２１１ａ、２１１ｂが各々設けられている。この凹部２１１ａ、２１１ｂの縁部は、ランプ部１１を当該凹部２１１ａ、２１１ｂに導くテーパ形状となっている。
【００６２】
前記第２の横壁部の中央部には、前記第３の横壁部の凹部２１１ｂと連通するスリット２１１ｃが設けられている。スリット２１１ｃは上下方向に向いており、冷陰極蛍光ランプ１０のリード端子１２を、ボディ本体２１０の取付部２１５に取り付けられたコンタクト１００の第１の接続部１１０の空間Ｘへと導く。このスリット２１１ｃの縁部も凹部２１１ａ、２１１ｂと同様にテーパ形状となっている。
【００６３】
各フランジ２１６は、前記第２、第３の横壁部と略一直線状に並んでおり、カバー２２０の第１、第２の押圧部材２２４ａ、２２４ｂ及び一対の側壁部を上下動可能にガイドする。
【００６４】
各側板部２１２の外面の幅方向の一端部には、カバー２２０を上下動可能にガイドするガイド突起２１２ａが設けられている。また、各側板部２１２ｂの外面の幅方向の他端部には、カバー２２０を閉位置及び開位置で係止する係止突起２１２ｂが設けられている。
【００６５】
ガイド突起２１２ａは、上下方向に向いた山形の突脈であって、カバー２２０のガイド溝２２２に上下動可能に嵌まり込む。これにより、ガイド突起２１２ａがカバー２２０を閉位置から開位置かけて上下動可能に保持する。
【００６６】
係止突起２１２ｂは、側板部２１２の幅方向に向いた半円柱状の突脈である。この係止突起２１２ｂは、カバー２２０が閉位置に位置するときに、カバー２２０の側壁部の上側係止溝２２３ａに係止され、カバー２２０が開位置に位置するときに、カバー２２０の側壁部の下側係止溝２２３ｂに係止される。
【００６７】
ランナ部２１４は、図６及び図７に示すように、第２のボディ３００のレール部３１０に所定位置αから図７の図示左右方向（即ち、リード端子１２の長さ方向の両方向）に向けてスライド自在に嵌まり込む断面視略逆Ｔ字状の突起である。なお、ここで言う所定位置αとは、図７(ａ）に示すように、第１のボディ２００のボディ本体２１０のランプ保持部２１１の第１の壁部の外面と第２のボディ３００の前面とが一致する位置のことである。
【００６８】
取付部２１５は、図２及び図６に示すように、コンタクト１００の第１の接続部１１０の第１の圧入板１１１が圧入される断面十字状の長溝である。このようにコンタクト１００の第１の接続部１１０の第１の圧入板１１１が圧入され、取付部２１５に取り付けられる。
【００６９】
突脈部２１７は、略直方体状の突起であって、開放側の端部にコンタクト１００の係止片１１４が係止されるスリット２１７ａが設けられている。
【００７０】
カバー２２０は、図１、図３及び図６に示すように、ボディ本体２１０の一対の側板部２１２の間の空間の上側を覆う略矩形状の天板と、この天板の下面の両端部に設けられ、一対の側板部２１２の外面に沿う一対の側壁部と、前記天板の下面に一対の側壁部の幅方向の一端部同士を繋ぐように設けられる後壁部とを有する樹脂成形品である。
【００７１】
前記後壁部は、その高さ寸法が一対の側壁部の高さ寸法よりも高くなっている。即ち、前記後壁部は、ボディ本体２１０の一対の側板部２１２の間の空間の後側を覆うと共に、第２のボディ３００の開放部３０１の上側を覆うようになっている。
【００７２】
前記天板の中央部には、冷陰極蛍光ランプ１０のリード端子１２が挿脱可能な挿脱口２２１が設けられている。挿脱口２２１の両縁部は、リード端子１２を当該挿脱口２２１内に導くテーパ形状となっている。また、挿脱口２２１の両縁部には、コンタクト１００の第１、第２のクランプアーム１１２、１１３がカバー２２０の第１、第２の押圧部材２２４ａ、２２４ｂに押圧されていない状態で、当該第１、第２のクランプアーム１１２、１１３の先端部との干渉を避けるための２つの切欠き部２２１ａが設けられている。
【００７３】
前記一対の側壁部と前記後壁部との両角部には、ボディ本体２１０の一対の側板部２１２のガイド突起２１２ａが上下動可能に嵌まり込む一対のガイド溝２２２が設けられている。このようにボディ本体２１０の一対のガイド突起２１２ａがカバー２２０の一対のガイド溝２２２に上下動可能に嵌まり込むことにより、カバー２２０がボディ本体２１０に上下動可能に取り付けられる。
【００７４】
また、前記一対の側壁部の内面の幅方向の他端部には、一対の上側係止溝２２３ａ及び下側係止溝２２３ｂが上下に位置するように設けられている。各上側係止溝２２３ａは、カバー２２０が閉位置に位置するときに、ボディ本体２１０の係止突起２１２ｂを係止する。各下側係止溝２２３ｂは、カバー２２０が開位置に位置するときに、ボディ本体２１０の係止突起２１２ｂを係止する。このようにしてカバー２２０が閉位置、開位置で係止される
【００７５】
更に、前記一対の側壁部の幅方向の他端部の下端部には、図１、図３及び図７に示すように、第２のボディ３００の両外側面に沿って下方に延びる板状の一対の係止アーム２２６が設けられている。
【００７６】
各係止アーム２２６の幅方向の一端部には、カバー２２０が閉位置に位置するときに、第２のボディ３００の第１の係止凸部３３１が挿入可能な第１の凹部２２６ａと、この第１の凹部２２６ａの下方に位置しており且つカバー２２０が開位置に位置するときに、第１の係止凸部３３１に当接する第１の当接部２２６ｂとが設けられている。第１の凹部２２６ａの下端部（カバーの閉位置への移動方向側の端部）は、下方向に向けて漸次増大するテーパ形状となっている。
【００７７】
一方、各係止アーム２２６の幅方向の他端部には、カバー２２０が閉位置に位置するときに、第２のボディ３００の第２の係止凸部３３２が挿入可能な第２の凹部２２６ｃと、この第２の凹部２２６ｃの下方に位置しており且つカバー２２０が開位置に位置するときに、第２の係止凸部３３２に当接する第２の当接部２２６ｄとが設けられている。第２の凹部２２６ｃは、第１の凹部２２６ａよりも下方に位置している。第２の凹部２２６ｃは、上下端部が横向き略Ｖ字状になっている（即ち、第２の凹部２２６ｃの下端部（カバーの閉位置への移動方向側の端部）が下方向に向けて漸次増大するテーパ形状となっている。）。
【００７８】
即ち、カバー２２０が閉位置に位置しているとき、カバー２２０の一対の係止アーム２２６の第１、第２の凹部２２６ａ、２２６ｃが第２のボディ３００の両外側面の第１、第２の係止凸部３３１、３３２に対向する。即ち、第１、第２の係止凸部３３１、３３２が第１、第２の凹部２２６ａ、２２６ｃに挿入可能な状態になる。このため、カバー２２０及びボディ本体２１０が、図７（ｂ）及び図７（ｃ）に示すように、所定位置αから図示両側に第１、第２の凹部２２６ａ、２２６ｃの深さの距離分スライド自在となる。一方、カバー２２０が開位置に位置するとき、カバー２２０の一対の係止アーム２２６の第１、第２の当接部２２６ｂ、２２６ｄが第２のボディ３００の両外側面の第１、第２の係止凸部３３１、３３２に当接する。このため、カバー２２０及びボディ本体２１０が、図７（ｄ）に示すように、所定位置αでロックされる。
【００７９】
このようにカバー２２０の一対の係止アーム２２６の第１、第２の凹部２２６ａ、２２６ｃ及び当接部２２６ｂ、２２６ｄ及び第２のボディ３００の両外側面の第１、第２の係止凸部３３１、３３２が、カバー２２０を開位置で係止することにより、カバー２２０及びボディ本体２１０を所定位置αでロックするロック手段となる。
【００８０】
前記天板の下面の一対の側壁部の内側部には、図３及び図６に示すように、板状の第１、第２の押圧部材２２４ａ、２２４ｂが下方に向けて設けられている。第２の押圧部材２２４ｂの幅寸法は第１の押圧部材２２４ａの幅寸法の略半分となっている。
【００８１】
第１の押圧部材２２４ａは、先端部が内側に凸状に折れ曲がっている。この第１の押圧部材２２４ａは、図６（ｂ）に示すように、カバー２２０が開位置に位置すると、前記先端部がコンタクト１００の２つの第１のクランプアーム１１２の第１の屈曲部１１２ａを内側に向けて押圧する。また、第１の押圧部材２２４ａは、図６（ａ）及び（ｃ）に示すように、カバー２２０が閉位置に位置すると、前記先端部がコンタクト１００の２つの第１のクランプアーム１１２の第１の屈曲部１１２ａに当接しない当該第１の屈曲部１１２ａの下方に位置する。これにより、第１の押圧部材２２４ａの先端部による第１の屈曲部１１２ａに対する押圧が解除される。
【００８２】
第２の押圧部材２２４ｂは、先端部が内側に凸状に折れ曲がっている。この第２の押圧部材２２４ｂは、図６（ｂ）に示すように、カバー２２０が開位置に位置すると、前記先端部がコンタクト１００の第２のクランプアーム１１３の第２の屈曲部１１３ａを内側に向けて押圧する。また、第２の押圧部材２２４ｂは、図６（ａ）及び（ｃ）に示すように、カバー２２０が閉位置に位置すると、前記先端部がコンタクト１００の第２のクランプアーム１１３の第２の屈曲部１１３ａに当接しない当該第２の屈曲部１１３ａの下方に位置する。これにより、第２の押圧部材２２４ｂの先端部による第２の屈曲部１１３ａに対する押圧が解除される。
【００８３】
また、第１、第２の押圧部材２２４ａ、２２４ｂは、カバー２２０の一対の側壁部との間で、ボディ本体２１０の一対の側板部２１２を上下動自在にガイドするようになっている。
【００８４】
前記天板の下面の第２の押圧部材２２４ｂの後側部分には、断面視略Ｌ字状の仕切壁２２５が設けられている。この仕切壁２２５は、一端部がカバー２２０の第２の押圧部材２２４ｂの幅方向の一端部に連続しており、他端部がカバー２２０の後壁部に連続している。仕切壁２２５とカバー２２０の後壁部とにより区画される空間が、図３に示すように、コンタクト１００の保持部１２０を出入り可能に収容する収容空間２２５ａとなる。
【００８５】
コンタクト１００は、図５及び図６に示すように、導電性を有する金属板から切り起こされ且つ折り曲げられて作成されるものである。このコンタクト１００は、冷陰極蛍光ランプ１０のリード端子１２を挟持可能（即ち、電気的且つ機械的に接続可能）な第１の接続部１１０と、この第１の接続部１１０が設けられる弾性変形可能な部位であり且つ当該第１の接続部１１０をリード端子１２の長さ方向に変位可能に保持する保持部１２０と、この保持部１２０に設けられ、基板２０の挿入部２１に電気的に接続される第２の接続部１３０とを有している。
【００８６】
第１の接続部１１０は、略矩形状の板状体である第１の圧入板１１１と、この第１の圧入板１１１の長さ方向の両端部の上端に連続して設けられる弾性変形可能な可動片である２つの第１のクランプアーム１１２と、第１の圧入板１１１の２つの第１のクランプアーム１１２の間の上端に連続して設けられる弾性変形可能な可動片である第２のクランプアーム１１３と、この第１の圧入板１１１の一方の第１のクランプアーム１１２の外側の上端に連続して設けられる係止片１１４とを有している。
【００８７】
第１の圧入板１１１は、第１のボディ２００の取付部２１５に圧入される部位である。この状態で、係止片１１４が第１のボディ２００の突脈部２１７のスリット２１７ａに係止され、第１の圧入板１１１が取付部２１５に所定以上入り込むのを防止している。
【００８８】
２つの第１のクランプアーム１１２及び第２のクランプアーム１１３は、第１の圧入板１１１が取付部２１５に圧入された状態で、第１のボディ２００の一対の側板部２１２の間の空間に収容される。
【００８９】
各第１のクランプアーム１１２は、外側に向けて略Ｌ字状に屈曲する第１の屈曲部１１２ａと、この第１の屈曲部１１２ａの先端部に連続しており且つ当該第１の屈曲部１１２ａと反対方向に略Ｌ字状に屈曲する第１の把持部１１２ｂとを有している。
【００９０】
第２のクランプアーム１１３は、第１の屈曲部１１２ａと反対方向に略Ｌ字状に屈曲する第２の屈曲部１１３ａと、この第２の屈曲部１１３ａの先端部に連続しており且つ当該第２の屈曲部１１３ａと反対方向に略Ｌ字状に屈曲する第２の把持部１１３ｂとを有している。
【００９１】
２つの第１の屈曲部１１２ａはカバー２２０の第１の押圧部材２２４ａの先端部に内側に向けて押圧される部位である。第２の屈曲部１１３ａは、カバー２２０の第２の押圧部材２２４ｂの先端部に内側に押圧される部位である。即ち、２つの第１の屈曲部１１２ａと第２の屈曲部１１３ａとは、互いに近づく方向に向けて第１、第２の押圧部材２２４ａ、２２４ｂに各々押圧される。
【００９２】
２つの第１の把持部１１２ｂと第２の把持部１１３ｂとは、図６（ｂ）に示すように、２つの第１の屈曲部１１２ａと第２の屈曲部１１３ａとが第１、第２の押圧部材２２４ａ、２２４ｂ押圧されると、互いに近づく方向に移動して交差し、２つの第１の把持部１１２ｂと第２の把持部１１３ｂとの間に冷陰極蛍光ランプ１０のリード端子１２を挿入するための空間Ｘを形成するようになっている。また、２つの第１の把持部１１２ｂと第２の把持部１１３ｂとは、図６（ｃ）に示すように、第１の押圧部材２２４ａの２つの第１の屈曲部１１２ａに対する押圧及び第２の押圧部材２２４ｂの第２の屈曲部１１３ａに対する押圧が解除されると、互いに近づく方向に移動して空間Ｘが閉じる。これにより、２つの第１の把持部１１２ｂと第２の把持部１１３ｂとがリード端子１２を挟持するようになっている。
【００９３】
保持部１２０は、第１の接続部１１０の第１の圧入板１１１に連続する平面視略Ｌ字状の先端部１２１と、第２の接続部１３０の第２の圧入板１３１の端部に連続し且つ略直角に折り曲げられた基端部１２２と、一端部が先端部１２１に連続し且つ他端部が基端部１２２に連続する略逆Ｕ字状の中間部１２３とを有する。
【００９４】
中間部１２３は、第１の圧入板１１１の長さ方向（即ち、リード端子１２の長さ方向）に対して略直角な方向に向いている。この中間部１２３は、第１の接続部１１０の第１の圧入板１１１がボディ本体２１０の取付部２１５に圧入された状態で、当該ボディ本体２１０に取り付けられたカバー２２０の収容空間２２５ａに収容される。
【００９５】
先端部１２１は、第１の接続部１１０の第１の圧入板１１１がボディ本体２１０の取付部２１５に圧入された状態で、当該ボディ本体２１０のランナ部２１４とカバー２２０の後壁部との間の空間に収容される。
【００９６】
基端部１２２は、第２の接続部１３０の第２の圧入板１３１が第２のボディ３００の第３の穴部３２３に圧入された状態で、当該第２のボディ３００の開放部３０１の空間に収容される。
【００９７】
第２の接続部１３０は、矩形状の板状体である第２の圧入板１３１と、この第２の圧入板１３１の先端に連続して設けられる２つの接続アーム１３２とを有する。
【００９８】
第２の圧入板１３１の長さ方向の両端部には外側に凸の一対の突起が設けられている。この突起を含めた第２の圧入板１３１の長さ寸法が第２のボディ３００の第３の穴部３２３の幅寸法よりも若干大きくなっている。即ち、第２の圧入板１３１が第２のボディ３００の第３の穴部３２３に圧入される。
【００９９】
各接続アーム１３２は、横向き略Ｕ字状のアームであって、その先端部が上方に向けて円弧状に湾曲している。この接続アーム１３２は、第２のボディ３００の第２の穴部３２２に収容された状態で、前記先端部が第１の穴部３２１に入り込む。このため、接続アーム１３２の先端部が、第１の穴部３２１の開口部３２１ａから挿入された基板２０の挿入部２１の図示しない配線パターンに弾性接触する。このようにしてコンタクト１００と基板２０とが電気的に接続される。
【０１００】
以下、このような構成の接続装置の組み立て手順について詳しく説明する。まず、ボディ本体２１０のランナ部２１４を第２のボディ３００のレール部３１０に嵌め込む。
【０１０１】
その後、ボディ本体２１０の取付部２１５にコンタクト１００の第１の接続部１１０の第１の圧入板１１１を圧入する。これにより、コンタクト１００の第１の接続部１１０の２つの第１のクランプアーム１１２及び第２のクランプアーム１１３がボディ本体２１０の一対の側板部２１２の間の空間に配置される。このとき、コンタクト１００の係止片１１６がボディ本体２１０の突脈部２１７のスリット２１７ａに嵌まり込み、係止される。
【０１０２】
これと共に、コンタクト１００の第２の接続部１３０の２つの接続アーム１３２を第２のボディ３００の収容部３２０の第２の穴部３２２に位置合わせしつつ挿入する。そして、第２の接続部１３０の第２の圧入板１３１を収容部３２０の第３の穴部３２３に圧入する。すると、２つの接続アーム１３２の先端部が、自身の弾性力により、収容部３２０の第１の穴部３２１に入り込む。
【０１０３】
その後、カバー２２０の一対の側壁部と第１、第２の押圧部材２２４ａ、２２４ｂとの間に、ボディ本体２１０の一対の側板部２１２を挿入する。すると、カバー２２０の一対の側壁部が外側に弾性変形して、ボディ本体２１０の一対の側板部２１２のガイド突起２１２ａを乗り越える。そして、カバー２２０の一対のガイド溝２２２がボディ本体２１０の一対のガイド突起２１２ａに嵌まり込む。
【０１０４】
このとき、カバー２２０の第１の押圧部材２２４ａがコンタクト１００の２つの第１のクランプアーム１１２の第１の屈曲部１１２ａを内側に向けて押圧しつつ、ボディ本体２１０の一方の側板部２１２と２つの第１のクランプアーム１１２との間の空間に入り込む。同様に、カバー２２０の第２の押圧部材２２４ｂがコンタクト１００の第２のクランプアーム１１３の第２の屈曲部１１３ａを内側に向けて押圧しつつ、ボディ本体２１０の一方の側板部２１２と第２のクランプアーム１１３との間の空間に入り込む。
【０１０５】
これと共に、カバー２２０の一対の係止アーム２２６が第２のボディ３００の両外側面の第１、第２の係止凸部３３１、３３２の間に入り込む。
【０１０６】
以下、このように組み立てられる接続装置の使用方法を説明しつつ各部の動作について説明する。まず、基板２０の挿入部２１を第２のボディ３００の開口部３２１ａから収容部３２０の第１の孔部３２１に挿入する。すると、基板２０の挿入部２１の配線パターンが第１の孔部３２１に入り込んだコンタクト１００の２つの接続アーム１３２に弾性接触する。これにより、コンタクト１００が基板２０に電気的に接続される。
【０１０７】
その後、カバー２２０を開位置に位置させる。すると、図７（ｄ）に示すように、カバー２２０の一対の係止アーム２２６の第１、第２の当接部２２６ｂ、２２６ｄが第２のボディ３００の両外側面の第１、第２の係止凸部３３１、３３２に当接する。これにより、カバー２２０及びボディ本体２１０が所定位置αでロックされる。これと共に、ボディ本体２１０の一対の側板部２１２上の係止突起２１２ｂが、カバー２２０の一対の側壁部の下側係止溝２２３ｂに係止される。
【０１０８】
このとき、図６（ｂ）に示すように、カバー２２０の第１の押圧部材２２４ａの先端部が上方に移動してコンタクト１００の２つの第１のクランプアーム１１２の第１の屈曲部１１２ａを内側に向けて押圧する。これと共に、カバー２２０の第２の押圧部材２２４ｂの先端部が上方に移動してコンタクト１００の第２のクランプアーム１１３の第２の屈曲部１１３ａを内側に向けて押圧する。
【０１０９】
これにより、２つの第１のクランプアーム１１２の第１の屈曲部１１２ａと第２のクランプアーム１１３の第２の屈曲部１１３ａとが互いに近づく方向に向けて移動する。これと共に、２つの第１のクランプアーム１１２の第１の把持部１１２ｂと第２のクランプアーム１１３の第２の把持部１１３ｂとが、互いに近づく方向に移動して交差し、そして、互いに離れる方向に移動する。これにより、２つの第１の把持部１１２ｂと第２の把持部１１３ｂとの間に空間Ｘを形成する。
【０１１０】
その後、冷陰極蛍光ランプ１０のリード端子１２をカバー２２０の挿脱口２２１から挿入する。すると、リード端子１２がボディ本体２１０のスリット２１１ｃにガイドされ、空間Ｘに導かれる。
【０１１１】
これと共に、冷陰極蛍光ランプ１０のランプ部１１がボディ本体２１０の凹部２１１ａ、２１１ｂに嵌まり込み、保持される。
【０１１２】
その後、カバー２２０を開位置から閉位置にかけて移動させる。すると、ボディ本体２１０の一対の側板部２１２上の係止突起２１２ｂが、カバー２２０の一対の側壁部の上側係止溝２２３ａに係止される。
【０１１３】
このとき、図６（ｃ）に示すように、カバー２２０の第１の押圧部材２２４ａの先端部が２つの第１のクランプアーム１１２の第１の屈曲部１１２ａの下方空間に移動する。これにより、第１の押圧部材２２４ａの２つの第１の屈曲部１１２ａに対する押圧が解除される。これと共に、カバー２２０の第２の押圧部材２２４ｂが第２のクランプアーム１１３の第２の屈曲部１１３ａの下方空間に移動する。これにより、第２の押圧部材２２４ｂの第２の屈曲部１１３ａに対する押圧が解除される。
【０１１４】
すると、２つの第１の屈曲部１１２ａと第２の屈曲部１１３ａとが、２つの第１のクランプアーム１１２、第２のクランプアーム１１３自身のバネ力によって、互いに離れる方向に移動する。これと共に、２つの第１の把持部１１２ｂと第２の把持部１１３ｂとが、互いに近づく方向に移動して空間Ｘが閉じる。これにより、２つの第１の把持部１１２ｂと第２の把持部１１３ｂとがリード端子１２を挟持する。
【０１１５】
その後、冷陰極蛍光ランプ１０が熱膨張変形すると、冷陰極蛍光ランプ１０のリード端子１２を挟持する２つの第１のクランプアーム１１２、第２のクランプアーム１１３、第１の圧入板１１１及び係止片１１４（即ち、第１の接続部１１０）と先端部１２１とが図５（ａ）の図示右方向に変位する。これと共に、コンタクト１００の保持部１２０の中間部１２３が弾性変形し、当該中間部１２３の一端部がその他端部と平行な状態から図示右方向に移動する。
【０１１６】
前記変位に伴って、ボディ本体２１０及びカバー２２０が、図７（ｂ）に示すように、第２のボディ３００上を所定位置αから図示右方向に移動する。このとき、カバー２２０の一対の係止アーム２２６の第１の凹部２２６ａに第２のボディ３００の両外側面の第１の係止凸部３３１が入り込む。このようにして冷陰極蛍光ランプ１０の熱膨張変形が吸収される。
【０１１７】
なお、カバー２２０の一対の係止アーム２２６の第１の凹部２２６ａに第２のボディ３００の両外側面の第１の係止凸部３３１が当接することにより、カバー２２０、ボディ本体２１０及び第１の接続部１１０の移動が止まる。
【０１１８】
一方、冷陰極蛍光ランプ１０が熱収縮変形すると、冷陰極蛍光ランプ１０のリード端子１２を挟持する２つの第１のクランプアーム１１２、第２のクランプアーム１１３、第１の圧入板１１１及び係止片１１４（即ち、第１の接続部１１０）と先端部１２１とが図５（ａ）の図示左方向に変位する。これと共に、コンタクト１００の保持部１２０の中間部１２３が弾性変形し、当該中間部１２３の一端部がその他端部と平行な状態から図示左方向に移動する。
【０１１９】
前記変位に伴って、ボディ本体２１０及びカバー２２０が、図７（ｃ）に示すように、第２のボディ３００上を所定位置αから図示左方向に移動する。このとき、カバー２２０の一対の係止アーム２２６の第２の凹部２２６ｃに第２のボディ３００の両外側面の第２の係止凸部３３２が入り込む。このようにして冷陰極蛍光ランプ１０の熱収縮変形が吸収される。
【０１２０】
なお、カバー２２０の一対の係止アーム２２６の第２の凹部２２６ｃに第２のボディ３００の両外側面の第２の係止凸部３３２が当接することにより、カバー２２０、ボディ本体２１０及び第１の接続部１１０の移動が止まる。
【０１２１】
冷陰極蛍光ランプ１０を取り外すときには、カバー２２０を閉位置から開位置にかけて移動させる。すると、ボディ本体２１０の一対の側板部２１２上の係止突起２１２ｂが、カバー２２０の一対の側壁部の下側係止溝２２３ｂに係止される。なお、カバー２２０及びボディ本体２１０が上述の通りスライドし、所定位置αから位置ずれしている場合には、第２のボディ３００両外側面の第１の係止凸部３３１又は第２の係止凸部３３２のテーパ形状の下端部がカバー２２０の一対の係止アーム２２６の第１の凹部２２６ａ又は第２の凹部２２６ｃのテーパ形状の下端部に沿って移動する。これにより、カバー２２０及びボディ本体２１０がスライド位置から所定位置αに戻る。
【０１２２】
このとき、図７（ｄ）に示すように、カバー２２０の一対の係止アーム２２６の第１、第２の当接部２２６ｂ、２２６ｄが第２のボディ３００の両外側面の第１、第２の係止凸部３３１、３３２に当接する。これにより、カバー２２０及びボディ本体２１０が所定位置αでロックされる。
【０１２３】
これと共に、図６（ｂ）に示すように、カバー２２０の第１の押圧部材２２４ａの先端部が上方に移動してコンタクト１００の２つの第１のクランプアーム１１２の第１の屈曲部１１２ａを内側に向けて押圧する。これと共に、カバー２２０の第２の押圧部材２２４ｂが上方に移動してコンタクト１００の第２のクランプアーム１１３の第２の屈曲部１１３ａを内側に向けて押圧する。
【０１２４】
これにより、２つの第１のクランプアーム１１２の第１の屈曲部１１２ａと第２のクランプアーム１１３の第２の屈曲部１１３ａとが互いに近づく方向に向けて移動する。これと共に、２つの第１のクランプアーム１１２の第１の把持部１１２ｂと第２のクランプアーム１１３の第２の把持部１１３ｂとが、互いに離れる方向に移動し、空間Ｘが開く。これにより、冷陰極蛍光ランプ１０のリード端子１２を空間Ｘからボディ本体２１０のスリット２１１ｃに沿って上方に移動させ、カバー２２０の挿脱口２２１から取り出す。
【０１２５】
このような接続装置による場合、冷陰極蛍光ランプ１０の熱収縮変形又は熱膨張変形に伴って、コンタクト１００の保持部１２０が弾性変形することにより、当該コンタクト１００の第１の接続部１１０が前記左右方向に変位し、この第１の接続部１１０の変位と共に、ボディ本体２１０及びカバー２２０が所定位置αから前記左右方向にスライドする。このため、冷陰極蛍光ランプ１０のリード端子１２が、従来例の如く冷陰極蛍光ランプ１０の熱収縮変形又は熱膨張変形により、第１の接続部１１０の２つの第１のクランプアーム１１２と第２のクランプアーム１１３との間を摺動し、当該リード端子１２が磨耗するのを防止することができる。よって、リード端子１２と第１の接続部１１０との安定した接続を図ることができる。
【０１２６】
また、冷陰極蛍光ランプ１０の熱収縮変形又は熱膨張変形に伴って、コンタクト１００の保持部１２０が弾性変形すると共に、当該コンタクト１００の第１の接続部１１０が変位することからことから、冷陰極蛍光ランプ１０とリード端子１２との接合部分（封入部分）に負荷が掛かるのを防止することができる。このため、前記負荷を起因とする冷陰極蛍光ランプ１０の不具合が生じるのを防止することができる。
【実施例２】
【０１２７】
次に、本発明の第２の実施の形態に係る接続装置について図面を参照しつつ説明する。図８は本発明の第２の実施の形態に係る接続装置の側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが閉位置に位置し且つボディ本体が所定位置から他方向にスライドした状態を示す図、（ｄ）はカバーが開位置に位置し且つボディ本体が所定位置でロックされた状態を示す図、図９は同装置の図８のＢ−Ｂ断面図であって、（ａ）はカバーが閉位置に位置する状態を示す図、（ｂ）はカバーが開位置に位置する状態を示す図、（ｃ）はカバーが閉位置に位置し且つリード端子が挿入された状態を示す図、図１０は同装置のコンタクトの斜視図であって、(ａ）が正面側から見た図、（ｂ）が背面側から見た図である。
【０１２８】
図８及び図９に示す接続装置は、コンタクト１００’の形状及びカバー２２０’の形状が実施例１の接続装置と異なっている。以下、その相違点について詳しく説明し、重複する部分の説明は省略する。なお、コンタクト及びカバーについては、’を付して実施例１と区別する。
【０１２９】
カバー２２０’は、挿脱口２２１’及び第１、第２の押圧部材２２４ａ’、２２４ｂ’の形状がカバー２２０と異なっている。
【０１３０】
挿脱口２２１’は、図９に示すように、挿脱口２２１よりも幅広な略矩形状の開口である。
【０１３１】
第１の押圧部材２２４ａ’は下方に向けて延びる板状体である。この第１の押圧部材２２４ａ’の下端部の内側部は、下方に向けて漸次増大するテーパ形状となっている。この第１の押圧部材２２４ａ’は、図９(ａ）及び（ｃ）に示すように、カバー２２０’が閉位置に位置するとき、コンタクト１００’の２つの第１のクランプアーム１１２’の第１の湾曲部１１２ｂ’を内側に向けて押圧する。一方、第１の押圧部材２２４ａ’は、図９(ｂ）に示すように、カバー２２０’が開位置に位置するとき、２つの第１の湾曲部１１２ｂ’に当接しない当該第１の湾曲部１１２ｂ’の上方に位置する。これにより、第１の押圧部材２２４ａ’の２つの第１の湾曲部１１２ｂ’に対する押圧が解除される。
【０１３２】
第２の押圧部材２２４ｂ’も下方に向けて延びる板状体である。この第２の押圧部材２２４ｂ’の幅寸法は第１の押圧部材２２４ａ’の略半分となっている。この第２の押圧部材２２４ｂ’の下端部の内側部は、下方に向けて漸次増大するテーパ形状となっている。第２の押圧部材２２４ｂ’は、図９(ａ）及び（ｃ）に示すように、カバー２２０’が閉位置に位置するとき、コンタクト１００’の第２のクランプアーム１１３’の第２の湾曲部１１３ｂ’を内側に向けて押圧する。一方、第２の押圧部材２２４ｂ’は、図９(ｂ）に示すように、カバー２２０’が開位置に位置するとき、第２の湾曲部１１３ｂ’に当接しない当該第２の湾曲部１１３ｂ’の上方に位置する。これにより、第２の押圧部材２２４ｂ’の第２の湾曲部１１３ｂ’に対する押圧が解除される。
【０１３３】
また、第１、第２の押圧部材２２４ａ’、２２４ｂ’は、カバー２２０の’一対の側壁部との間で、ボディ本体２１０の一対の側板部２１２を上下動自在にガイドするようになっている。
【０１３４】
コンタクト１００’は、図１０に示すように、第１の接続部１１０’の２つの第１のクランプアーム１１２’及び第２のクランプアーム１１３’の形状が実施例１のコンタクト１００と異なっている。
【０１３５】
各第１のクランプアーム１１２’は、第１の把持部１１２ａ’と、この第１の把持部１１２ａ’の先端部に連続しており且つ外側に向けて湾曲する第１の湾曲部１１２ｂ’とを有している。
【０１３６】
第２のクランプアーム１１３’は、第２の把持部１１３ａ’と、この第２の把持部１１３ａ’の先端部に連続しており且つ第１の湾曲部１１２ｂ’と反対方向に向けて湾曲する第２の湾曲部１１３ｂ’とを有している。
【０１３７】
２つの第１の湾曲部１１２ｂ’はカバー２２０’の第１の押圧部材２２４ａ’に内側に向けて押圧される部位である。第２の湾曲部１１３ｂ’はカバー２２０’の第２の押圧部材２２４ｂ’に内側に向けて押圧される部位である。即ち、２つの第１の湾曲部１１２ｂ’と第２の湾曲部１１３ｂ’とは、第１、第２の押圧部材２２４ａ’、２２４ｂ’に互いに近づく方向に向けて押圧される。
【０１３８】
２つの第１の把持部１１２ａ’と第２の把持部１１３ａ’とは、その中間部が互いに離れる方向に折れ曲がっている。これにより、２つの第１の把持部１１２ａ’と第２の把持部１１３ａ’との間に冷陰極蛍光ランプ１０のリード端子１２を挿入するための空間Ｘが生じている。
【０１３９】
２つの第１の把持部１１２ａ’と第２の把持部１１３ａ’とは、図９（ｂ）に示すように、２つの第１の湾曲部１１２ｂ’と第２の湾曲部１１３ｂ’とが押圧されると、互いに近づく方向に移動し、２つの第１の把持部１１２ａ’と第２の把持部１１３ａ’との間の空間Ｘが閉じる。これにより、２つの第１の把持部１１２ａ’と第２の把持部１１３ａ’とが冷陰極蛍光ランプ１０のリード端子１２を挟持する。
【０１４０】
以下、このような構成の接続装置の組み立て手順について図面を参照しつつ説明する。まず、ボディ本体２１０のランナ部２１４を第２のボディ３００のレール部３１０に嵌め込む。
【０１４１】
その後、実施例１と同様に、コンタクト１００’の第１の接続部１１０’の第１の圧入板１１１’をボディ本体２１０の取付部２１５に圧入すると共に、コンタクト１００’の係止片１１６’をボディ本体２１０の突脈部２１７のスリット２１７ａに係止させる。
【０１４２】
これと共に、コンタクト１００’の第２の接続部１３０’の２つの接続アーム１３２’を第２のボディ３００の収容部３２０の第２の穴部３２２に挿入し、第２の接続部１３０’の第２の圧入板１３１’を収容部３２０の第３の穴部３２３に圧入する。
【０１４３】
その後、カバー２２０’の一対の側壁部と第１、第２の押圧部材２２４ａ’、２２４ｂ’との間に、ボディ本体２１０の一対の側板部２１２を挿入する。すると、カバー２２０’の一対の側壁部が外側に弾性変形して、ボディ本体２１０の一対の側板部２１２のガイド突起２１２ａを乗り越える。そして、カバー２２０’の一対のガイド溝２２２’がボディ本体２１０の一対のガイド突起２１２ａに嵌まり込む。
【０１４４】
これと共に、図８(ａ）に示すように、カバー２２０’の一対の係止アーム２２６’が第２のボディ３００の両外側面の第１、第２の係止凸部３３１、３３２の間に入り込む。
【０１４５】
以下、このように組み立てられる接続装置の使用方法を説明しつつ各部の動作について説明する。まず、実施例１と同様に、基板２０の挿入部２１が第２のボディ３００の開口部３２１ａから挿入され、これにより、コンタクト１００と基板２０とが電気的に接続される。
【０１４６】
その後、カバー２２０’を開位置に位置させる。すると、図９（ｂ）に示すように、カバー２２０’の第１の押圧部材２２４ａ’がコンタクト１００’の２つの第１のクランプアーム１１２’の第１の湾曲部１１２ｂ’の上方に位置する。これと共に、カバー２２０’の第２の押圧部材２２４ｂ’コンタクト１００’の第２のクランプアーム１１３’の第２の湾曲部１１３ｂの上方に位置する。このため、コンタクト１００’の２つの第１のクランプアーム１１２’の第１の把持部１１２ａ’と第２のクランプアーム１１３’の第２の把持部１１３ａ’との間に空間Ｘが生じている。
【０１４７】
このとき、図８（ｄ）に示すように、カバー２２０’の一対の係止アーム２２６’の第１、第２の当接部２２６ｂ’、２２６ｄ’が、実施例１と同様に、第２のボディ３００の両外側面の第１、第２の係止凸部３３１、３３２に当接する。これにより、カバー２２０及びボディ本体２１０が所定位置αでロックされる。これと共に、ボディ本体２１０の一対の側板部２１２上の係止突起２１２ｂが、カバー２２０’の一対の側壁部の下側係止溝２２３ｂ’に係止される。
【０１４８】
その後、冷陰極蛍光ランプ１０のリード端子１２をカバー２２０’の挿脱口２２１’から挿入する。すると、リード端子１２がボディ本体２１０のスリット２１１ｃにガイドされ、空間Ｘに導かれる。
【０１４９】
これと共に、冷陰極蛍光ランプ１０のランプ部１１がボディ本体２１０の凹部２１１ａ、２１１ｂに嵌まり込み、保持される（図１（ｂ）を借りて参照）。
【０１５０】
その後、カバー２２０’を開位置から閉位置にかけて移動させる。すると、ボディ本体２１０の一対の側板部２１２上の係止突起２１２ｂが、カバー２２０’の一対の側壁部の上側係止溝２２３ａ’に係止される。
【０１５１】
このとき、図９（ｃ）に示すように、カバー２２０’の第１の押圧部材２２４ａ’が２つの第１のクランプアーム１１２’の第１の湾曲部１１２ｂ’を内側に向けて押圧する。これと共に、カバー２２０’の第２の押圧部材２２４ｂ’が、コンタクト１００’の第２のクランプアーム１１３’の第２の湾曲部１１３ｂ’を内側に向けて押圧する。
【０１５２】
すると、２つの第１のクランプアーム１１２’の第１の湾曲部１１２ｂ’及び第１の把持部１１２ａ’と、第２のクランプアーム１１３’の第２の湾曲部１１３ｂ’及び第２の把持部１１３ａ’とが、互いに近づく方向に向けて移動し、空間Ｘが閉じる。これにより、２つの第１の把持部１１２ａ’と第２の把持部１１３ａ’とが、リード端子１２を挟持する。
【０１５３】
その後、冷陰極蛍光ランプ１０が熱膨張変形又は熱収縮変形すると、実施例１と同様に、コンタクト１００’の保持部１２０’の中間部１２３’が弾性変形しつつ、当該コンタクト１００’の第１の接続部１１０’が変位する。この変位と共に、ボディ本体２１０及びカバー２２０’が、図８に示すように、第２のボディ３００上を所定位置αから図示右左方向にスライドする。
【０１５４】
冷陰極蛍光ランプ１０を取り外すときには、カバー２２０’を閉位置から開位置にかけて移動させる。なお、カバー２２０’及びボディ本体２１０が上述の通りスライドし、所定位置αから位置ずれしている場合には、第２のボディ３００両外側面の第１の係止凸部３３１又は第２の係止凸部３３２のテーパ形状の下端部がカバー２２０’の一対の係止アーム２２６の第１の凹部２２６ａ又は第２の凹部２２６ｃのテーパ形状の下端部に沿って移動する。これにより、カバー２２０’及びボディ本体２１０がスライド位置から所定位置αに戻る。
【０１５５】
すると、カバー２２０’の第１の押圧部材２２４ａ’がコンタクト１００’の２つの第１のクランプアーム１１２’の第１の湾曲部１１２ｂ’の上方に位置する。これと共に、カバー２２０’の第２の押圧部材２２４ｂ’コンタクト１００’の第２のクランプアーム１１３’の第２の湾曲部１１３ｂ’の上方に位置する。
【０１５６】
これにより、第１の押圧部材２２４ａ’の２つの第１の湾曲部１１２ｂ’に対する押圧が解除されると共に、第２の押圧部材２２４ｂ’の第２の湾曲部１１３ｂ’に対する押圧が解除される。すると、２つの第１の湾曲部１１２ｂ’及び第１の把持部１１２ａ’と、第２の湾曲部１１３ｂ’及び第２の把持部１１３ａ’とが、互いに離れる方向に向けて移動し、空間Ｘが開く。これにより、冷陰極蛍光ランプ１０のリード端子１２を空間Ｘからボディ本体２１０のスリット２１１ｃに沿って上方に移動させ、カバー２２０’の挿脱口２２１’から取り出す。
【０１５７】
このとき、カバー２２０’の一対の係止アーム２２６’の第１、第２の当接部２２６ｂ’、２２６ｄ’が第２のボディ３００の両外側面の第１、第２の係止凸部３３１、３３２に当接する。これにより、カバー２２０’及びボディ本体２１０が所定位置αでロックされる。これと共に、ボディ本体２１０の一対の側板部２１２上の係止突起２１２ｂが、カバー２２０’の一対の側壁部の下側係止溝２２３ｂ’に係止される。
【０１５８】
このような接続装置による場合であっても、冷陰極蛍光ランプ１０の熱収縮変形又は熱膨張変形に伴って、コンタクト１００’の保持部１２０’が弾性変形することにより、当該コンタクト１００’の第１の接続部１１０’が前記左右方向に変位し、この第１の接続部１１０’の変位と共に、ボディ本体２１０及びカバー２２０’が所定位置αから前記左右方向にスライドする。このため、冷陰極蛍光ランプ１０のリード端子１２が、従来例の如く冷陰極蛍光ランプ１０の熱収縮変形又は熱膨張変形により、第１の接続部１１０’の２つの第１のクランプアーム１１２’と第２のクランプアーム１１３’との間を摺動し、当該リード端子１２が磨耗するのを防止することができる。よって、リード端子１２と第１の接続部１１０’との安定した接続を図ることができる。
【０１５９】
また、冷陰極蛍光ランプ１０の熱収縮変形又は熱膨張変形に伴って、コンタクト１００の保持部１２０が弾性変形すると共に、当該コンタクト１００の第１の接続部１１０が変位することからことから、冷陰極蛍光ランプ１０とリード端子１２との接合部分（封入部分）に負荷が掛かるのを防止することができる。このため、前記負荷を起因とする冷陰極蛍光ランプ１０の不具合が生じるのを防止することができる。
【０１６０】
なお、上記コンタクトについては、電子部品のリード端子が電気的且つ機械的に接続可能な第１の接続部と、この第１の接続部が設けられる弾性変形可能な部位であり且つ当該第１の接続部を少なくともリード端子の長さ方向に変位可能に保持する保持部とを有する限り任意に設計変更することが可能である。
【０１６１】
なお、図１１は本発明の第１の実施の形態に係るコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図、図１２は本発明の第２の実施の形態に係るコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図、図１３は本発明の第１の実施の形態に係るコンタクトの設計変更例を示す概略的背面図である。
【０１６２】
第１の接続部１１０、１１０’については、リード端子をクランプするクランプ部であるとして説明したが、これに限定されるものではなく、リード端子が電気的且つ機械的に接続可能なものである限り任意に設計変更することが可能である。
【０１６３】
例えば、第１の接続部１１０、１１０’としては、リード端子にハンダ付けされるハンダ付け部やリード端子に圧着される圧着部とすることができる。
【０１６４】
また、第１の接続部１１０、１１０’のクランプ部としての構成は上記実施例に限定されるものではない。例えば、図１１（ａ）に示すように、第１のクランプアーム１１２を板状の固定片とすることができる。この場合、第２のクランプアーム１１３の第１のクランプアーム１１２から離れる方向に屈曲する屈曲部１１３ａがカバー２２０の挿脱口２２１の一方の縁部に設けられた押下部材に押下されると、屈曲部１１３ａの先端部に連続し且つ当該屈曲部１１３ａと反対方向に屈曲する把持部１１４ｂが、第１のクランプアーム１１２に近づく方向に移動して当該第１のクランプアーム１１２に交差し、その間にリード端子を挿入するための空間を形成する。この空間にリード端子を挿入した後、カバー２２０を操作して前記押圧部材の屈曲部１１３ａに対する押圧が解除されると、把持部１１４ｂが第１のクランプアーム１１２に近づく方向に移動して前記空間が閉じる。これにより把持部１１４ｂと第1のクランプアーム１１２との間でリード端子を挟持する。
【０１６５】
また、第１の接続部１１０は、図１１（ｂ）に示すように、弾性変形可能な可動片である第１のクランプアーム１１２と、弾性変形可能な可動片である第２のクランプアーム１１３とを１つずつ有する構成とすることもできる。同様に、第１の接続部１１０は、図１１（ｃ）に示すように、固定片である第１のクランプアーム１１２と、弾性変形可能な可動片である第２のクランプアーム１１３とを１つずつ有する構成とすることもできる。なお、第１の接続部１１０は、第１のクランプアーム（可動片、固定片に関わらず）を３つ以上、第２のクランプアームを２つ以上有する構成とすることも可能である。
【０１６６】
第１の接続部１１０’についても、図１２（ａ）に示すように、２つの第１のクランプアーム１１２’を固定片とすることができる。この場合、第２のクランプアーム１１３’の把持部１１３ａ’の先端部に連続し且つ第１のクランプアーム１１２’から離れる方向に向けて湾曲した湾曲部１１３ｂ’が、カバー２２０’の押圧部材に第１のクランプアーム１１２’に向けて押圧されると、把持部１１３ａ’が第１のクランプアーム１１２’に近づく方向に移動し、当該把持部１１３ａ’と第１のクランプアーム１１２’との間でリード端子を挟持する。その後、湾曲部１１３ｂ’が前記押圧部材の押圧から解放されると、把持部１１３ａ’が第１のクランプアーム１１２から離れる移動し、把持部１１３ａ’と第１のクランプアーム１１２との間の挟持からリード端子が解放される。
【０１６７】
また、第１の接続部１１０’は、図１２（ｂ）に示すように、第１の接続部１１０と同様に、弾性変形可能な可動片である第１のクランプアーム１１２’と弾性変形可能な可動片である第２のクランプアーム１１３’とを１つずつ有する構成とすることもできる。また、第１の接続部１１０’は、図１２（ｃ）に示すように、固定片である第１のクランプアーム１１２’と、弾性変形可能な可動片である第２のクランプアーム１１３’とを１つずつ有する構成とすることもできる。なお、第１の接続部１１０’も、第１のクランプアーム（可動片、固定片に関わらず）を３つ以上、第２のクランプアームを２つ以上有する構成とすることも可能である。
【０１６８】
更に、第１の接続部１１０、１１０’は、第１のボディ２００との間で、リード端子をクランプする構成とすることもできる。
【０１６９】
保持部１２０、１２０’については、上記第１の接続部が設けられる弾性変形可能な部位であり且つ当該第１の接続部を少なくともリード端子の長さ方向に変位可能に保持し得る限り任意に設計変更することが可能である。
【０１７０】
例えば、保持部１２０、１２０’は、略Ｌ字を９０°回転させた形状とすることもできるし、リング形状とすることもできる。また、保持部１２０は、図１３に示すように、先端部１２１と、中間部１２３との間に横向き略Ｕ字状の湾曲部１２４を更に有した形状とすることもできる。湾曲部１２４の形状についても、略Ｕ字状に限定されるものではなく、略Ｌ字を９０°回転させた形状とすることもできるし、リング形状とすることもできる。この点は、保持部１２０’も同様に設計変更可能である。
【０１７１】
第２の接続部１３０、１３０’については、基板に電気的に接続し得るものである限り任意に設計変更することが可能である。例えば、前記基板にスルーホールが設けられている場合、第２の接続部を前記スルーホールに挿入可能な直線状の板状体とすることができるし、第２の接続部を基板の回路パターンに接触し表面実装可能な鉤状体とすることもできるし、第２の接続部を基板の回路パターンに弾性接触し得る形状と（例えば、横向き略Ｕ字状）することもできるし、第２の接続部を基板２０の回路パターン又はその他の電子部品等と接続するためのリード線が圧着可能な形状とすることもできる。また、前記第２の接続部１２０を別体とし、保持部１２０、１２０’に接触させるようにすることも一応可能である。
【０１７２】
上記接続装置については、電子部品のリード端子が電気的且つ機械的に接続可能な第１の接続部と、この第１の接続部が設けられる弾性変形可能な部位であり且つ当該第１の接続部を少なくともリード端子の長さ方向に変位可能に保持する保持部とを有するコンタクトを備える限り任意に設計変更することが可能である。なお、図１４は接続装置の第１、第２のボディの設計変更例を示す側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが開位置に位置し且つボディ本体が所定位置でロックされた状態を示す図である。
【０１７３】
前記接続装置は、前記コンタクトを収容する一つのボディを備える構成とすることもできる。この場合、前記コンタクトの第１の接続部の変位のみで、リード端子の熱膨張変形又は熱収縮変形に対応することになる。
【０１７４】
第１のボディ２００については、コンタクトの第１の接続部が取付可能であり且つ第２のボディ３００上を所定位置αからリード端子の長さ方向の少なくとも一方向にスライド移動可能になっていれば良い。
【０１７５】
カバー２２０、２２０’については、設けるか否かは任意である。カバー２２０、２２０’を設けない場合には、押圧部材を第１のボディ２００に可動自在に設け、第１、第２のクランプアーム１１２、１１３又は第１、第２のクランプアーム１１２’、１１３’を操作するようにすれば良い。なお、上述のように第１のクランプアーム１１２、１１２’が固定片である場合には、前記押圧部材は第２のクランプアーム１１３、１１３’のみを操作可能とすれば良い。
【０１７６】
第２のボディ３００については、前記第１のボディが所定位置からリード端子の長さ方向にスライド自在に設けられており且つコンタクトの第２の接続部を収容可能である限り任意に設計変更することが可能である。
【０１７７】
従って、レール部３１０を第１のボディ本体に設け、ランナ部２１４を第２のボディに設けることが可能である。レール部３１０及びランナ部２１４については、前記第１のボディが第２のボディ上で所定位置からリード端子の長さ方向にスライド自在にし得る限りどのようなもの用いても構わない。
【０１７８】
係止アーム２２６の第１、第２の凹部２２６ａ、２２６ｃ及び第１、第２の係止凸部３３１、３３２は、カバー２２０が開位置に位置するとき、第１のボディを第２のボディ上の所定位置でロックするロック手段であるとしたが、これに限定されるものではなく、同様の機能を発揮し得るものである限り任意に設計変更することが可能である。例えば、第１のボディ２００が第２のボディ３００上を所定位置αからリード端子の長さ方向の一方向にのみスライド自在である場合には、第１のボディ２００のカバー２２０の一対の係止アーム２２６は、図１４（ａ）及び（ｂ）に示すように、スライド方向の一端部に設けられており且つカバー２００が閉位置に位置するときに第２のボディ３００の両外側面の係止凸部が挿入可能な凹部と、図１４（ｃ）に示すように、カバー２２０が開位置に位置するとき、前記係止凸部がリード端子の長さ方向の一方向側から当接する当接部とを有することが好ましい。前記当接部が前記係止凸部に当接しているとき、第１のボディ２００の他方向側への移動は、第１のボディ２００のランナ部２１４が第２のボディ３００レール部３１０に他端側の端部に当接することにより、阻止されている。
【０１７９】
なお、係止アーム２２６’及び第１、第２の係止凸部３３１、３３２についても同様に設計変更可能である。
【０１８０】
また、係止アーム２２６の第１、第２の凹部２２６ａ、２２６ｃの下端部及び第１、第２の係止凸部３３１、３３２の下端部は、テーパ形状であるとしたが、これに限定されるものではない。即ち、係止アーム２２６の第１、第２の凹部２２６ａ、２２６ｃの下端部及び第１、第２の係止凸部３３１、３３２の下端部のいずれか一方を上記実施例の如くテーパ形状とすることもできるし、両者をテーパ形状としないことも可能である。
【０１８１】
なお、上記コンタクト及び接続装置は、冷陰極蛍光ランプのソケットであるとして説明したが、これに限定されるものではなく、リード端子と基板とを電気接続するコネクタ等のその他の接続装置として適応可能であることはいう迄もない。
【図面の簡単な説明】
【０１８２】
【図１】本発明の第１の実施の形態に係る接続装置の斜視図であって、(ａ）が冷陰極蛍光ランプ及び基板接続前の状態を示す図、（ｂ）が冷陰極蛍光ランプ及び基板接続後の状態を示す図である。
【図２】同装置の第１のボディのボディ本体の斜視図であって、(ａ）が正面上側から見た図、（ｂ）が正面下側から見た図、（ｃ）が背面上側から見た図、（ｄ）が背面下側から見た図である。
【図３】同装置の第１のボディのカバーの斜視図であって、(ａ）が正面上側から見た図、（ｂ）が正面下側から見た図、（ｃ）が背面上側から見た図、（ｄ）が背面下側から見た図である。
【図４】同装置の第２のボディの斜視図であって、(ａ）が正面上側から見た図、（ｂ）が背面下側から見た図である。
【図５】同装置のコンタクトの斜視図であって、(ａ）が正面側から見た図、（ｂ）が背面側から見た図である。
【図６】同装置の図１のＡ−Ａ断面図であって、（ａ）はカバーが閉位置に位置する状態を示す図、（ｂ）はカバーが開位置に位置する状態を示す図、（ｃ）はカバーが閉位置に位置し且つリード端子が挿入された状態を示す図である。
【図７】同装置の側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが閉位置に位置し且つボディ本体が所定位置から他方向にスライドした状態を示す図、（ｄ）はカバーが開位置に位置し且つボディ本体が所定位置でロックされた状態を示す図である。
【図８】本発明の第２の実施の形態に係る接続装置の側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが閉位置に位置し且つボディ本体が所定位置から他方向にスライドした状態を示す図、（ｄ）はカバーが開位置に位置し且つボディ本体が所定位置でロックされた状態を示す図である。
【図９】同装置の図８のＢ−Ｂ断面図であって、（ａ）はカバーが閉位置に位置する状態を示す図、（ｂ）はカバーが開位置に位置する状態を示す図、（ｃ）はカバーが閉位置に位置し且つリード端子が挿入された状態を示す図である。
【図１０】同装置のコンタクトの斜視図であって、(ａ）が正面側から見た図、（ｂ）が背面側から見た図である。
【図１１】本発明の第１の実施の形態に係るコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図である。
【図１２】本発明の第２の実施の形態に係るコンタクトの設計変更例を示す概略的斜視図であって、(ａ)が固定片である２つの第１のクランプアームと可動片である第２のクランプアームとを有したコンタクトの図、(ｂ)が可動片である第１、第２のクランプアームを有したコンタクトの図、(ｃ)が固定片である第１のクランプアームと可動片である第２のクランプアームとを有したコンタクトの概略的斜視図である。
【図１３】本発明の第１の実施の形態に係るコンタクトの設計変更例を示す概略的背面図である。
【図１４】接続装置の第１、第２のボディの設計変更例を示す側面図であって、（ａ）はカバーが閉位置に位置し且つボディ本体が所定位置に位置する状態を示す図、（ｂ）はカバーが閉位置に位置し且つボディ本体が所定位置から一方向にスライドした状態を示す図、（ｃ）はカバーが開位置に位置し且つボディ本体が所定位置でロックされた状態を示す図である。
【符号の説明】
【０１８３】
１００  コンタクト
１１０  第１の接続部
１１２  第１のクランプアーム
１１２ａ  第１の屈曲部
１１２ｂ  第１の把持部
１１３  第２のクランプアーム
１１３ａ  第２の屈曲部
１１３ｂ  第２の把持部
１２０  保持部
１２１  先端部
１２３  中間部
１３０  第２の接続部
１００’  コンタクト
１１０’  第１の接続部
１１２’  第１のクランプアーム
１１２ａ’  第１の把持部
１１２ｂ’  第１の湾曲部
１１３’  第２のクランプアーム
１１３ａ’  第２の把持部
１１３ｂ’  第２の湾曲部
１２０’  保持部
１２１’  先端部
１２３’  中間部
１３０’  第２の接続部
２００  第１のボディ
２１０  ボディ本体
２２０  カバー
２２６  係止アーム
２２６ａ  第１の凹部
２２６ｃ  第２の凹部
２２０’  カバー
２２６’  係止アーム
２２６ａ’  第１の凹部
２２６ｃ’  第２の凹部
３００  第２のボディ
３２０  収容部
３２１ａ  開口部
３３１  第１の係止凸部
３３２  第２の係止凸部
【図１】
0004783341.tif 000002
【図２】
0004783341.tif 000003
【図３】
0004783341.tif 000004
【図４】
0004783341.tif 000005
【図５】
0004783341.tif 000006
【図６】
0004783341.tif 000007
【図７】
0004783341.tif 000008
【図８】
0004783341.tif 000009
【図９】
0004783341.tif 000010
【図１０】
0004783341.tif 000011
【図１１】
0004783341.tif 000012
【図１２】
0004783341.tif 000013
【図１３】
0004783341.tif 000014
【図１４】
0004783341.tif 000015